(57)【要約】【課題】より効果的な再生処理または出力処理を行うことができるようにする。【解決手段】  制御部２１は、ユーザが入力した入力撮像記録モードに関する情報をレート情報作成部２４に供給する。レート情報作成部２４は、その情報に基づいてレート情報を作成し、それを記録部２３に供給する。記録部２３は、制御部２１に制御されて、そのレート情報等を光ディスク１３に記録する。再生部５２は、制御部５１に制御されて、光ディスク１３に記録されているレート情報を読み出し、それをレート情報判定部５５に供給する。レート情報判定部５５は、そのレート情報に基づいて、各部における処理のモードを判定し、その情報を制御部５１に供給する。制御部５１は、その情報に基づいて、再生部５２乃至出力部５４を制御する。本発明は、例えば、記録再生システムに適用できる。【選択図】図１
2005176212.tif 000002
【特許請求の範囲】
【請求項１】
コンテンツデータに関する情報を処理する情報処理装置であって、
前記コンテンツデータの、入力時または生成時のデータレートに関する情報であるキャプチャレート、前記コンテンツデータの、記録時のデータレートに関する情報であるレックレート、および、前記コンテンツデータの、通常再生時のデータレートであるフォーマットレートを作成する作成手段を備える
ことを特徴とする情報処理装置。
【請求項２】
前記コンテンツデータは画像データである
ことを特徴とする請求項１に記載の情報処理装置。
【請求項３】
被写体を撮像し、前記コンテンツデータとして画像データを生成する撮像手段をさらに備え、
前記作成手段は、前記撮像手段が前記コンテンツデータを生成する際の、前記コンテンツデータのデータレートに関する情報を前記キャプチャレートとして生成する
ことを特徴とする請求項１に記載の情報処理装置。
【請求項４】
前記コンテンツデータを記録媒体に記録するコンテンツデータ記録手段をさらに備え、
前記作成手段は、前記コンテンツデータ記録手段が前記コンテンツデータを前記記録媒体に記録する際の、前記コンテンツデータのデータレートに関する情報を前記レックレートとして生成する
ことを特徴とする請求項１に記載の情報処理装置。
【請求項５】
ユーザが入力する、前記コンテンツデータの、入力、生成、記録、または再生に関する制御指示を受け付ける入力受付手段をさらに備え、
前記作成手段は、前記入力受付手段により受け付けられた前記制御指示に基づいて、前記キャプチャレート、前記レックレート、および前記フォーマットレートを作成する
ことを特徴とする請求項１に記載の情報処理装置。
【請求項６】
前記作成手段により作成された前記キャプチャレート、前記レックレート、および前記フォーマットレートを記録媒体に記録するレート情報記録手段をさらに備える
ことを特徴とする請求項１に記載の情報処理装置。
【請求項７】
前記レート情報記録手段は、前記キャプチャレート、前記レックレート、および前記フォーマットレートの変化点を前記記録媒体に記録する
ことを特徴とする請求項７に記載の情報処理装置。
【請求項８】
前記レート情報記録手段は、前記キャプチャレート、前記レックレート、および前記フォーマットレートに関連付けて、前記コンテンツデータのUMIDに関する情報を、前記記録媒体にさらに記録する
ことを特徴とする請求項７に記載の情報処理装置。
【請求項９】
前記作成手段により作成された前記キャプチャレート、前記レックレート、および前記フォーマットレートを他の情報処理装置に送信するレート情報送信手段をさらに備える
ことを特徴とする請求項１に記載の情報処理装置。
【請求項１０】
前記レート情報送信手段は、前記キャプチャレート、前記レックレート、および前記フォーマットレートの変化点を前記他の情報処理装置に送信する
ことを特徴とする請求項９に記載の情報処理装置。
【請求項１１】
前記レート情報送信手段は、前記キャプチャレート、前記レックレート、および前記フォーマットレートに関連付けて、前記コンテンツデータのUMIDに関する情報を、前記他の情報処理装置にさらに送信する
ことを特徴とする請求項９に記載の情報処理装置。
【請求項１２】
コンテンツデータに関する情報を処理する情報処理装置の情報処理方法であって、
前記コンテンツデータの、入力時または生成時のデータレートに関する情報であるキャプチャレート、前記コンテンツデータの、記録時のデータレートに関する情報であるレックレート、および、前記コンテンツデータの、通常再生時のデータレートであるフォーマットレートを作成する作成ステップを含む
ことを特徴とする情報処理方法。
【請求項１３】
コンテンツデータに関する情報を処理する情報処理を、コンピュータに行わせるプログラムにおいて、
前記コンテンツデータの、入力時または生成時のデータレートに関する情報であるキャプチャレート、前記コンテンツデータの、記録時のデータレートに関する情報であるレックレート、および、前記コンテンツデータの、通常再生時のデータレートであるフォーマットレートを作成する作成ステップを含む
ことを特徴とするプログラム。
【請求項１４】
コンテンツデータに関する情報を処理する情報処理装置であって、
前記コンテンツデータの、入力時または生成時のデータレートに関する情報であるキャプチャレート、前記コンテンツデータの、記録時のデータレートに関する情報であるレックレート、並びに、前記コンテンツデータの、通常再生時のデータレートであるフォーマットレートに基づいて、前記コンテンツデータの再生処理および出力処理の少なくとも一方に関する設定を判定する判定手段を備える
ことを特徴とする情報処理装置。
【請求項１５】
前記コンテンツデータは画像データである
ことを特徴とする請求項１４に記載の情報処理装置。
【請求項１６】
前記フォーマットレートに基づくデータレートで、前記コンテンツデータを再生する再生手段をさらに備える
ことを特徴とする請求項１４に記載の情報処理装置。
【請求項１７】
前記再生手段により再生された前記コンテンツデータを出力する出力手段をさらに備える
ことを特徴とする請求項１６に記載の情報処理装置。
【請求項１８】
前記判定手段による判定結果に基づいて、前記再生手段により再生された前記コンテンツデータを変換するデータ変換手段をさらに備え、
前記出力手段は、前記データ変換手段により変換された前記コンテンツデータを出力する
ことを特徴とする請求項１７に記載の情報処理装置。
【請求項１９】
前記判定手段による判定結果、または、前記キャプチャレート、前記レックレート、および前記フォーマットレートを出力するための出力情報を生成する出力情報作成手段をさらに備え、
前記出力手段は、前記出力情報作成手段により作成された前記出力情報をさらに出力する
ことを特徴とする請求項１７に記載の情報処理装置。
【請求項２０】
記録媒体に記録された前記キャプチャレート、前記レックレート、および前記フォーマットレートを読み出して取得する取得手段をさらに備え、
前記判定手段は、前記取得手段により前記記録媒体より読み出されて取得された前記キャプチャレート、前記レックレート、および前記フォーマットレートに基づいて、前記コンテンツデータの再生処理および出力処理に関する設定を判定する
ことを特徴とする請求項１４に記載の情報処理装置。
【請求項２１】
他の情報処理装置より送信された前記キャプチャレート、前記レックレート、および前記フォーマットレートを受信する受信手段をさらに備え、
前記判定手段は、前記受信手段により受信された前記キャプチャレート、前記レックレート、および前記フォーマットレートに基づいて、前記コンテンツデータの再生処理および出力処理に関する設定を判定する
ことを特徴とする請求項１４に記載の情報処理装置。
【請求項２２】
コンテンツデータに関する情報を処理する情報処理装置の情報処理方法であって、
前記コンテンツデータの、入力時または生成時のデータレートに関する情報であるキャプチャレート、前記コンテンツデータの、記録時のデータレートに関する情報であるレックレート、並びに、前記コンテンツデータの、通常再生時のデータレートであるフォーマットレートに基づいて、前記コンテンツデータの再生処理および出力処理の少なくとも一方に関する設定を判定する判定ステップを含む
ことを特徴とする情報処理方法。
【請求項２３】
コンテンツデータに関する情報を処理する情報処理を、コンピュータに行わせるプログラムにおいて、
前記コンテンツデータの、入力時または生成時のデータレートに関する情報であるキャプチャレート、前記コンテンツデータの、記録時のデータレートに関する情報であるレックレート、並びに、前記コンテンツデータの、通常再生時のデータレートであるフォーマットレートに基づいて、前記コンテンツデータの再生処理および出力処理の少なくとも一方に関する設定を判定する判定ステップを含む
ことを特徴とするプログラム。
【発明の詳細な説明】
【技術分野】
【０００１】
本発明は、情報処理装置および方法、並びにプログラムに関し、特に、より効果的な再生処理または出力処理を行うことができるようにした情報処理装置および方法、並びにプログラムに関する。
【背景技術】
【０００２】
従来、ビデオカメラ等の撮像装置により被写体を撮像する場合、様々な映像効果を与えるために、例えば、CCD等の撮像素子において、単位時間あたりのデータの出力回数を可変することで、得られる単位時間あたりのフレーム数を可変する方法がある。
【０００３】
この方法を用いることにより、例えば、所謂、通常再生の再生レート（再生される単位時間あたりのフレーム数）と同じレートで画像を取り込む（すなわち、撮像素子において光電変換処理の単位時間あたりの回数を制御し、再生レートと同じレートで、１フレーム分の画像データを得る）通常撮像の他に、通常撮像の場合よりも、高速に画像を取り込む（取り込む回数を増やす、すなわち、撮像素子における光電変換処理の単位時間あたりの回数を増やす）ことにより、通常再生した場合に、低速な再生（スローモーション再生）となるようにする高速度撮像や、逆に、画像を取り込む回数を減らす（すなわち、撮像素子における光電変換処理の単位時間あたりの回数を減らす）ことにより、通常再生した場合に高速な再生（早送り再生）となるようにする低速度撮像等を行うことができる。
【０００４】
具体的には、例えば、CCDにおいて光電変換して得られる画像の単位時間あたりのフレーム数である撮像フレームレートの画像信号をCDR方式（Common Data Rate：共通サンプリング周波数方式）の画像信号として、被写体を撮像して得た撮像信号に付加する帰線期間の長さを制御して、撮像フレームレートの可変制御を行う方法があった。また、撮像フレームレートの画像信号を生成し、この撮像フレームレートの画像信号を用いてフレーム加算を行うことにより、出力フレームレートの画像信号を得る方法もあった。さらに、撮像フレームレートが所定範囲内で可変されてもフレームレート設定信号に基づいた出力フレームレートの画像信号が得られないときには、フレーム加算での加算フレーム数の切り替えも行い、撮像フレームレートの画像信号からフレームレート設定信号に基づいた出力フレームレートの画像信号を生成する方法もあった（例えば、特許文献１参照）。
【０００５】
また、例えば、プログレッシブ方式で画像を取り込むCCDにより取り込んだ画像を、インターレース方式のデータに変換したり、フィルム画像等をインターレース方式のデータに変換したりする等、得られた画像データの方式を変換することもある。
【０００６】
【特許文献１】ＷＯ  ０３／０６３４７２  Ａ１
【発明の開示】
【発明が解決しようとする課題】
【０００７】
しかしながら、このように、撮像時に、画像取り込みレートを可変させて得られた画像データや、変換処理が施された画像データを再生すると、撮像時等においてデータに施された処理により、同じ通常再生であっても出力された画像の効果が異なるが、データを再生させたユーザが、データにどのような処理が施されているかを正確に把握することは困難であるという課題があった。
【０００８】
特に、例えば、テレビジョン番組の制作等のように、制作作業が大規模なものであり、撮像作業と再生・編集作業とで人物、場所、または日時等が異なるような場合、編集作業を行う編集者が、撮像作業を行った撮像者が、どのような設定により撮像し、編集対象の画像データを得たかを正確に把握することは困難であった。
【０００９】
また、例えば、撮像時に、インターレース方式で取り込まれた画像データであれば、インターレース方式で出力するのが望ましいが、プログレッシブ方式で取り込まれ、インターレース方式に変換された画像データの場合、プログレッシブ方式に再度変換して出力することも可能である。しかしながら、プログレッシブ方式からインターレース方式に変換された画像データを再生して出力する場合、再生出力装置であるプレーヤは、画像データがインターレース方式であることから、その画像データをインターレース方式でしか、出力することができないという課題もあった。
【００１０】
本発明は、このような状況に鑑みてなされたものであり、データを再生するユーザまたは装置に対して、撮像時や記録時の設定に関する情報を提供することができるようにし、より効果的な再生処理または出力処理を行わせることができるようにするものである。
【課題を解決するための手段】
【００１１】
本発明の第１の情報処理装置は、コンテンツデータの、入力時または生成時のデータレートに関する情報であるキャプチャレート、コンテンツデータの、記録時のデータレートに関する情報であるレックレート、および、コンテンツデータの、通常再生時のデータレートであるフォーマットレートを作成する作成手段を備えることを特徴とする。
【００１２】
前記コンテンツデータは画像データであるようにすることができる。
【００１３】
被写体を撮像し、コンテンツデータとして画像データを生成する撮像手段をさらに備え、作成手段は、撮像手段がコンテンツデータを生成する際の、コンテンツデータのデータレートに関する情報をキャプチャレートとして生成するようにすることができる。
【００１４】
前記コンテンツデータを記録媒体に記録するコンテンツデータ記録手段をさらに備え、作成手段は、コンテンツデータ記録手段がコンテンツデータを記録媒体に記録する際の、コンテンツデータのデータレートに関する情報をレックレートとして生成するようにすることができる。
【００１５】
ユーザが入力する、コンテンツデータの、入力、生成、記録、または再生に関する制御指示を受け付ける入力受付手段をさらに備え、作成手段は、入力受付手段により受け付けられた制御指示に基づいて、キャプチャレート、レックレート、およびフォーマットレートを作成するようにすることができる。
【００１６】
前記作成手段により作成されたキャプチャレート、レックレート、およびフォーマットレートを記録媒体に記録するレート情報記録手段をさらに備えるようにすることができる。
【００１７】
前記レート情報記録手段は、キャプチャレート、レックレート、およびフォーマットレートの変化点を記録媒体に記録するようにすることができる。
【００１８】
前記レート情報記録手段は、キャプチャレート、レックレート、およびフォーマットレートに関連付けて、それぞれが対応するコンテンツデータのUMIDに関する情報を、記録媒体にさらに記録するようにすることができる。
【００１９】
前記作成手段により作成されたキャプチャレート、レックレート、およびフォーマットレートを他の情報処理装置に送信するレート情報送信手段をさらに備えるようにすることができる。
【００２０】
前記レート情報送信手段は、キャプチャレート、レックレート、およびフォーマットレートの変化点を他の情報処理装置に送信するようにすることができる。
【００２１】
前記レート情報送信手段は、キャプチャレート、レックレート、およびフォーマットレートに関連付けて、それぞれが対応するコンテンツデータのUMIDに関する情報を、他の情報処理装置にさらに送信するようにすることができる。
【００２２】
本発明の第１の情報処理方法は、コンテンツデータの、入力時または生成時のデータレートに関する情報であるキャプチャレート、コンテンツデータの、記録時のデータレートに関する情報であるレックレート、および、コンテンツデータの、通常再生時のデータレートであるフォーマットレートを作成する作成ステップを含むことを特徴とする。
【００２３】
本発明の第１のプログラムは、コンテンツデータの、入力時または生成時のデータレートに関する情報であるキャプチャレート、コンテンツデータの、記録時のデータレートに関する情報であるレックレート、および、コンテンツデータの、通常再生時のデータレートであるフォーマットレートを作成する作成ステップをコンピュータに実行させる。
【００２４】
本発明の第２の情報処理装置は、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定を判定する判定手段を備えることを特徴とする。
【００２５】
前記コンテンツデータは画像データであるようにすることができる。
【００２６】
前記フォーマットレートに基づくデータレートで、コンテンツデータを再生する再生手段をさらに備えるようにすることができる。
【００２７】
前記再生手段により再生されたコンテンツデータを出力する出力手段をさらに備えるようにすることができる。
【００２８】
前記判定手段による判定結果に基づいて、再生手段により再生されたコンテンツデータを変換するデータ変換手段をさらに備え、出力手段は、データ変換手段により変換されたコンテンツデータを出力するようにすることができる。
【００２９】
前記判定手段による判定結果、または、キャプチャレート、レックレート、およびフォーマットレートを出力するための出力情報を生成する出力情報作成手段をさらに備え、出力手段は、出力情報作成手段により作成された出力情報をさらに出力するようにすることができる。
【００３０】
記録媒体に記録されたキャプチャレート、レックレート、およびフォーマットレートを読み出して取得する取得手段をさらに備え、判定手段は、取得手段により記録媒体より読み出されて取得されたキャプチャレート、レックレート、およびフォーマットレートに基づいて、コンテンツデータの再生処理および出力処理に関する設定を判定するようにすることができる。
【００３１】
他の情報処理装置より送信されたキャプチャレート、レックレート、およびフォーマットレートを受信する受信手段をさらに備え、判定手段は、受信手段により受信されたキャプチャレート、レックレート、およびフォーマットレートに基づいて、コンテンツデータの再生処理および出力処理に関する設定を判定するようにすることができる。
【００３２】
本発明の第２の情報処理方法は、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定を判定する判定ステップを含むことを特徴とする。
【００３３】
本発明の第２のプログラムは、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定を判定する判定ステップをコンピュータに実行させる。
【００３４】
本発明の第１の情報処理装置及び方法、並びにプログラムにおいては、コンテンツデータの、入力時または生成時のデータレートに関する情報であるキャプチャレート、コンテンツデータの、記録時のデータレートに関する情報であるレックレート、および、コンテンツデータの、通常再生時のデータレートであるフォーマットレートが作成される。
【００３５】
本発明の第２の情報処理装置及び方法、並びにプログラムにおいては、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定が判定される。
【発明の効果】
【００３６】
本発明によれば、情報を処理することができる。特に、データの再生時や出力時において撮影時や記録時の設定を得ることができ、より効果的な再生処理または出力処理を行うことができる。
【発明を実施するための最良の形態】
【００３７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００３９】
本発明においては、コンテンツデータ（例えば、図１の画像データ３１および音声データ３２）に関する情報を処理する情報処理装置（例えば、図１の撮像記録装置１１）が提供される。情報処理装置は、コンテンツデータの、入力時または生成時のデータレートに関する情報であるキャプチャレート（例えば、図１のキャプチャレート４１）、コンテンツデータの、記録時のデータレートに関する情報であるレックレート（例えば、図１のレックレート４２）、および、コンテンツデータの、通常再生時のデータレートであるフォーマットレート（例えば、図１のフォーマットレート４３）を作成する作成手段（例えば、図１のレート情報作成部２４）を備える。
【００４０】
前記コンテンツデータは画像データ（例えば、図１の画像データ３１）であるようにすることができる。
【００４１】
被写体を撮像し、コンテンツデータとして画像データを生成する撮像手段（例えば、図１の撮像部２２）をさらに備え、作成手段は、撮像手段がコンテンツデータを生成する際の、コンテンツデータのデータレートに関する情報をキャプチャレートとして生成する（例えば、図１３のステップＳ３３）ようにすることができる。
【００４２】
前記コンテンツデータを記録媒体に記録するコンテンツデータ記録手段（例えば図１の記録部２３）をさらに備え、作成手段は、コンテンツデータ記録手段がコンテンツデータを記録媒体に記録する際の、コンテンツデータのデータレートに関する情報をレックレートとして生成する（例えば、図１３のステップＳ３２）ようにすることができる。
【００４３】
ユーザが入力する、コンテンツデータの、入力、生成、記録、または再生に関する制御指示（例えば、図１の入力撮像記録モード指示）を受け付ける入力受付手段（例えば、図２の入力部１０４）をさらに備え、作成手段は、入力受付手段により受け付けられた制御指示に基づいて、キャプチャレート、レックレート、およびフォーマットレートを作成する（例えば、図１３のステップＳ３１乃至ステップＳ３３）ようにすることができる。
【００４４】
前記作成手段により作成されたキャプチャレート、レックレート、およびフォーマットレートを記録媒体に記録するレート情報記録手段（例えば、図１の記録部２３）をさらに備えるようにすることができる。
【００４５】
前記レート情報記録手段は、キャプチャレート、レックレート、およびフォーマットレートの変化点（例えば、図１１のテーブル１９１）を記録媒体に記録するようにすることができる。
【００４６】
前記レート情報記録手段は、前記作成手段により作成されたキャプチャレート、レックレート、およびフォーマットレートに関連付けて、それぞれが対応するコンテンツデータのUMID（例えば、図１２のUMID２３１）に関する情報（例えば、図１２のUMID情報２４２）を、記録媒体にさらに記録するようにすることができる。
【００４７】
前記作成手段により作成されたキャプチャレート、レックレート、およびフォーマットレートを他の情報処理装置に送信するレート情報送信手段（例えば、図２０の通信部３２３）をさらに備えるようにすることができる。
【００４８】
前記レート情報送信手段は、キャプチャレート、レックレート、およびフォーマットレートの変化点（例えば、図１１のテーブル１９１）を他の情報処理装置に送信するようにすることができる。
【００４９】
前記レート情報送信手段は、前記作成手段により作成されたキャプチャレート、レックレート、およびフォーマットレートに関連付けて、それぞれが対応するコンテンツデータのUMID（例えば、図１２のUMID２３１）に関する情報（例えば、図１２のUMID情報２４２）を、他の情報処理装置にさらに送信するようにすることができる。
【００５０】
本発明においては、コンテンツデータ（例えば、図１の画像データ３１および音声データ３２）に関する情報を処理する情報処理装置（例えば、図１の撮像記録装置１１）の情報処理方法が提供される。この情報処理方法は、コンテンツデータの、入力時または生成時のデータレートに関する情報であるキャプチャレート（例えば、図１のキャプチャレート４１）、コンテンツデータの、記録時のデータレートに関する情報であるレックレート（例えば、図１のレックレート４２）、および、コンテンツデータの、通常再生時のデータレートであるフォーマットレート（例えば、図１のフォーマットレート４３）を作成する作成ステップ（例えば、図１３のステップＳ３１乃至Ｓ３３）を含む。
【００５１】
本発明においては、コンテンツデータ（例えば、図１の画像データ３１および音声データ３２）に関する情報を処理する情報処理装置（例えば、図１の再生出力装置１２）が提供される。この情報処理装置は、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定を判定する判定手段（例えば、図１のレート情報判定部５５）を備える。
【００５２】
前記コンテンツデータは画像データ（例えば、図１の画像データ３１）であるようにすることができる。
【００５３】
前記フォーマットレートに基づくデータレートで、コンテンツデータを再生する再生手段（例えば、図３の再生処理部１４２）をさらに備えるようにすることができる。
【００５４】
前記再生手段により再生されたコンテンツデータを出力する出力手段（例えば、図１の出力部５４）をさらに備えるようにすることができる。
【００５５】
前記判定手段による判定結果に基づいて、再生手段により再生されたコンテンツデータを変換するデータ変換手段（例えば、図３のデータ変換部１５２）をさらに備え、出力手段は、データ変換手段により変換されたコンテンツデータを出力するようにすることができる。
【００５６】
前記判定手段による判定結果を出力するための出力情報を生成する出力情報作成手段（例えば、図３の出力情報作成部１５３）をさらに備え、出力手段は、出力情報作成手段により作成された出力情報をさらに出力するようにすることができる。
【００５７】
記録媒体に記録されたキャプチャレート、レックレート、およびフォーマットレートを読み出して取得する取得手段（例えば、図３のピックアップ部１４１）をさらに備え、判定手段は、取得手段により記録媒体より読み出されて取得されたキャプチャレート、レックレート、およびフォーマットレートに基づいて、コンテンツデータの再生処理および出力処理に関する設定を判定するようにすることができる。
【００５８】
他の情報処理装置より送信されたキャプチャレート、レックレート、およびフォーマットレートを受信する受信手段（例えば、図２０の通信部３５２）をさらに備え、判定手段は、受信手段により受信されたキャプチャレート、レックレート、およびフォーマットレートに基づいて、コンテンツデータの再生処理および出力処理に関する設定を判定するようにすることができる。
【００５９】
本発明においては、コンテンツデータ（例えば、図１の画像データ３１および音声データ３２）に関する情報を処理する情報処理装置（例えば、図１の再生出力装置１２）の情報処理方法が提供される。この情報処理方法は、コンテンツデータの、入力時または生成時のデータレートに関する情報であるキャプチャレート、コンテンツデータの、記録時のデータレートに関する情報であるレックレート、並びに、コンテンツデータの、通常再生時のデータレートであるフォーマットレートに基づいて、コンテンツデータの再生処理および出力処理の少なくとも一方に関する設定を判定する判定ステップ（例えば、図１６のステップＳ１０１乃至ステップＳ１０３）を含む。
【００６０】
以下に、本発明の実施の形態について図面を参照して説明する。
【００６１】
図１は、本発明を適用した記録再生システムの構成例を表している。この記録再生システム１は撮像記録装置１１および再生出力装置１２により構成される。
【００６２】
撮像記録装置１１は被写体を撮像し、画像データや音声データを生成し、それらをコンテンツデータとして光ディスク１３に記録するとともに、それらのコンテンツデータのレート（データレート）に関する情報（レート情報）を生成し、コンテンツデータに関連付けて光ディスク１３に記録する。再生出力装置１２は、その光ディスク１３に記録されたレート情報を読み出し、そのレート情報に基づいてコンテンツデータを再生し、出力する。
【００６３】
なお、例えば画像データの場合、レート（データレート）とは、画像データが毎秒何フレーム（何フィールド）のフレーム画像（フィールド画像）により構成されるかを示すものであり、その数（フレーム数またはフィールド数）だけでなく、画像データがフレーム画像により構成されるか、フィールド画像により構成されるか（すなわち、インターレース方式の画像であるか、プログレッシブ方式の画像であるか）も示す。
【００６４】
以下においては、入力、撮像（生成）、記録、受信、再生または出力時等、様々な場合におけるコンテンツデータ（画像データ等）のレート（データレート）について説明するが、いずれの場合においても、レート（データレート）は、上述したようなコンテンツデータ自体のレートを示すものであり、処理の速度等を示すものではない。例えば、画像データの場合、撮像時のデータレート（キャプチャレート）は、撮像素子における光電変換処理の単位時間当たりの回数を示すものであり、光電変換処理の速度や処理時間を示すものではない。また、例えば、記録時のデータレートについても同様であり、処理速度や処理時間を示すものではないのはもちろん、記録密度を示すものでもない。
【００６５】
撮像記録装置１１は、取材などにおいて、被写体を撮像し、得られた動画像や静止画像の画像データや音声データ等をコンテンツデータとして記録媒体に記録するビデオカメラであり、各部を制御する制御部２１、被写体を撮像する撮像部２２、撮像部において得られたコンテンツデータ（画像データや音声データ）を光ディスク１３に記録する記録部２３、並びに、コンテンツデータのレート情報を作成するレート情報作成部２４を含む。撮像記録装置１１のユーザは、制御部２１に、撮像開始指示や撮像終了指示等の制御指示を制御部２１に入力する。また、ユーザは、高速度撮像や低速度撮像等の、撮像処理および記録処理に関するモードの設定指示である入力撮像記録モード指示も入力する。制御部２１は、ユーザが入力した入力撮像記録モード指示等に基づいて、撮像処理や記録処理のモードを決定し、撮像部２２および記録部２３を制御する。また、制御部２１は、入力撮像記録モードに関する情報をレート情報作成部２４に供給する。撮像部２２は、制御部２１の制御に基づいて、被写体を撮像するとともに、音声情報を取得し、画像データや音声データ等よりなるコンテンツデータを取得し、それを記録部２３に供給する。レート情報作成部２４は、制御部２１より供給された情報に基づいて、撮像処理や記録処理等におけるコンテンツデータのレートに関する情報であるレート情報を作成し、それを記録部２３に供給する。記録部２３は、制御部２２１に制御されて、撮像部２２より供給されたコンテンツデータや、レート情報作成部２４より供給されたレート情報等を光ディスク１３に記録する。
【００６６】
光ディスク１３は、例えば、Blu-ray Disc（商標）のような記録可能なDVD（Digital Versatile Disc）やCD（Compact Disc）等の記録媒体である。光ディスク１３には、画像データ３１、音声データ３２、並びに、これらのコンテンツデータに関連付けられたメタデータ３３等が記録される。メタデータ３３には、画像取り込み時（光電変換時）、すなわち、コンテンツデータの生成時のレート情報であるキャプチャレート４１、コンテンツデータの記録時のレート情報であるレックレート４２、並びに、コンテンツデータの再生時におけるレート情報であるフォーマットレート４３等の情報が含まれる。なお、キャプチャレート、レックレート、およびフォーマットレートの詳細については、後述する。
【００６７】
再生出力装置１２は、例えば編集処理等において、光ディスク１３に記録されている画像データや音声データを再生し、出力する装置であり、各部を制御する制御部５１、光ディスク１３に記録されている情報を読み出し、再生する再生部５２、再生部５２より再生されたコンテンツデータ（画像データおよび音声データ）に対して、所定の処理を施す画像音声処理部５３、画像音声処理部５３において処理されたコンテンツデータをモニタやスピーカ等から出力する出力部５４、並びに、再生部５２より供給されるレート情報に基づいて、再生処理や出力処理のモードを判定し、その情報を制御部５１に供給するレート情報判定部５５により構成される。再生部５２は、制御部５１に制御されて、光ディスク１３に記録されているレート情報（キャプチャレート、レックレート、およびフォーマットレートを含む）を読み出し、それらをレート情報判定部５５に供給する。レート情報判定部５５は、それらのレート情報に基づいて、再生部５２、画像音声処理部５３、並びに出力部５４における処理のモードを判定し、その情報を制御部５１に供給する。制御部５１は、その情報に基づいて、再生部５２乃至出力部５４を制御する。再生部５２は、制御部５３に制御され、光ディスク１３に記録されているコンテンツデータを読み出して再生し、それを画像音声処理部５３に供給する。画像音声処理部５３は、それらのコンテンツデータに対して所定の信号処理を施し、出力部５４に供給する。出力部５４は、画像音声処理部５３より供給されたコンテンツデータをモニタやスピーカ等から出力させる。
【００６８】
図２は、図１の撮像記録装置１１の詳細な構成例を表している。
【００６９】
図２において、撮像記録装置１１の制御部２１の主制御部１０１は、ROM（Read Only Memory）１０２に記憶されているプログラム、またはRAM（Random Access Memory）１０３にロードされたプログラムに従って各種の処理を実行する。ROM１０２には、撮像記録装置１１に関する装置情報１０２Ａが記録されている。この装置情報１０２Ａは、例えば、撮像記録装置１１が、どの放送規格に基づいた方式で記録処理を行うか等の情報が含まれており、必要に応じて主制御部１０１により読み出され、レート情報作成部２４に供給されたりする。RAM１０３にはまた、主制御部１０１が各種の処理を実行する上において必要なデータなども適宜記憶される。また、入力部１０４は、各種のボタンやスイッチ等よりなり、ユーザの入力を受け付け、受け付けたユーザ入力を主制御部１０１に供給する。主制御部１０１は、そのユーザ入力に基づいて各部を制御する。
【００７０】
撮像部２２のレンズ部１１１は、複数のレンズ等よりなり、入射光の絞りや焦点を調整する。レンズ部１１１に入射された入射光は、CCD（Charge Coupled Device）１１２に供給される。CCD１１２は、レンズ部１１１を介して供給される入射光を電気信号に変換し、前処理部１１３に供給する。また、音声入力部１１５は、マイク等よりなり、撮像時に被写体や周囲の音声を集音し、電気信号に変換して前処理部１１３に供給する。前処理部１１３は、CDS回路、GCA回路、およびA/D変換回路等よりなり、CCD１１２より供給された出力信号に含まれるリセットノイズを除去し、利得を最適化し、CCD１１２の出力信号をデジタル信号に変換し、画像データ（動画像データ、または静止画像データ）として信号処理部１１４に供給する。また、前処理部１１３は、音声入力部１１５より供給された音声信号をA/D変換し、音声データとして信号処理部１１４に供給する。信号処理部１１４は、前処理部１１３より供給された画像データに対して露出やホワイトバランスの調整等の画像処理を施したり、音声データに対してノイズ除去等の音声処理を行ったりする。また、信号処理部１１４は、画像データや音声データを所定の方式で圧縮し、記録用の圧縮データとして記録部２３に供給する。また、駆動制御部１１６は、制御部２１の主制御部１０１に制御されレンズ部１１１の駆動を制御して焦点や絞りを調整し、CCD１１２の電気的動作を制御し、画像（蓄積された電荷）の取り込みタイミング（光電変換処理のタイミング）等を調整し、音声入力部１１５の電気的動作を制御し、音声入力のタイミング等を調整する。
【００７１】
また、レート情報作成部２４は、制御部２１の主制御部１０１より供給される、ユーザからの入力撮像記録モード指示や装置情報１０２Ａ等に基づいて、キャプチャレート４１、レックレート４２、およびフォーマットレート４３を算出し、それらをレート情報として記録部２３の記録処理部１２１に供給する。
【００７２】
記録部２３の記録処理部１２１は、信号処理部１１４より供給された画像データや音声データや、レート情報作成部２４より供給されたレート情報等に対して記録の際に必要な符号化処理等を施し、それを記録用データとして、ピックアップ部１２２に供給する。ピックアップ部１２２は、図示せぬドライブに装着された光ディスク１３に対してデータ書き込み用のレーザ光を照射し、供給された記録用データを光ディスク１３に記録する。また、駆動制御部１２４は、制御部２１の主制御部１０１に制御され、図示せぬドライブのスピンドルモータの回転やピックアップ部１４１の駆動等を制御し、光ディスク１３へのデータ記録時の動作制御を行う。
【００７３】
図３は、図１の再生出力装置１２の詳細な構成例を表している。
【００７４】
図３において、再生出力装置１２の制御部５１の主制御部１３１は、ROM１３２に記憶されているプログラム、またはRAM１３３にロードされたプログラムに従って各種の処理を実行する。RAM１３３にはまた、主制御部１３１が各種の処理を実行する上において必要なデータなども適宜記憶される。また、入力部１３４は、各種のボタンやスイッチ等よりなり、ユーザの入力を受け付け、受け付けたユーザ入力を主制御部１３１に供給する。主制御部１３１は、そのユーザ入力に基づいて各部を制御する。また、主制御部１３１は、レート情報判定部５５より供給される判定結果に基づいて、再生部５２、画像音声処理部５３、および出力部５４の各部を制御したり、レート情報判定部５５より供給されるキャプチャレート、レックレート、およびフォーマットレート等の情報を画像音声処理部５３に供給したりする。
【００７５】
再生部５２のピックアップ部１４１は、図示せぬドライブに装着された光ディスク１３に対してデータ読み取り用のレーザ光を照射し、光ディスク１３に記録されている画像データや音声データを読み出し、再生処理部１４２に供給する。また、ピックアップ部１４１は、同様に、光ディスク１３より画像データや音声データに対応するレート情報を読み出し、レート情報判定部５５に供給する。再生処理部１４２は、制御部５１の主制御部１３１に制御され、ピックアップ部１４１により読み出された画像データや音声データに対して復号処理等を施してデータを再生し、再生したデータを画像音声処理部５３に供給する。駆動制御部１４３は、制御部５１の主制御部１３１に制御され、図示せぬドライブのスピンドルモータの回転やピックアップ部１４１の駆動等を制御し、ピックアップ部１４１がドライブに装着された光ディスク１３より所望のデータを読み出すようにする。
【００７６】
画像音声処理部５３の信号処理部１５１は、再生部５２の再生処理部１４２より供給された画像データおよび音声データ等に対して信号処理を施し、出力用のデータを作成し、出力部５４に供給する。また、信号処理部１５１は、データ変換部１５２および出力情報作成部１５３を内蔵している。データ変換部１５２は、制御部５１の主制御部１３１に制御され、必要に応じて画像データに対して、例えば、走査方式の変換等のデータ変換処理を行う。出力情報作成部１５３は、制御部５１の主制御部１３１に制御され、制御部５１の主制御部１３１より供給されたレート情報（キャプチャレート、レックレート、およびフォーマットレート等に関する情報）の表示用画像データを作成し、再生処理部１４２より供給された画像データに合成し、出力部５４に供給する。
【００７７】
出力部５４は、画像を出力するモニタ１６１、および、音声を出力するスピーカ１６２を有しており、制御部５１の主制御部１３１に制御されて、画像音声処理部５３より供給された出力用の画像データや音声データを出力する。
【００７８】
レート情報判定部５５は、再生部５２のピックアップ部１４１より供給されたレート情報（キャプチャレート、レックレート、およびフォーマットレート等に関する情報）に基づいて、再生部５２における再生処理のモードやデータ変換部１５２におけるデータ変換処理のモードなどを判定し、その判定結果とキャプチャレート、レックレート、およびフォーマットレート等に関する情報を主制御部１３１に供給する。
【００７９】
次に、レート情報について説明する。
【００８０】
レート情報は、キャプチャレート、レックレート、およびフォーマットレートからなる。
【００８１】
キャプチャレートは、撮像記録装置１１のCCD１１２が電荷を取り込む毎秒あたりの頻度を示す。すなわち、CCD１１２は、駆動制御部１１６に制御され、設定されたキャプチャレートの頻度で、電荷の取り込み（光電変換処理）を行い、フレーム画像またはフィールド画像を生成する。従って、CCD１１２より出力された画像データの、毎秒あたりのフレーム数（以下において、フレームレートと称する）、または毎秒あたりのフィールド数（以下において、フィールドレートと称する）は、キャプチャレートで指定された値となる。
【００８２】
レックレートは、撮像記録装置１１の記録処理部１２１が出力する画像データにおけるフレームレート（またはフィールドレート）を示す。すなわち、記録処理部１２１は、主制御部１０１に制御され、供給された画像データのフレームレート（またはフィールドレート）を、必要に応じて、レックレートに指定されたレートに変換し、ピックアップ部１２２を介して光ディスク１３に記録させる。従って、光ディスク１３に記録された画像データのフレームレート（またはフィールドレート）は、レックレートに設定された値となる。
【００８３】
フォーマットレートは、再生出力装置１２の再生処理部１４２が通常再生した画像データのフレームレート（またはフィールドレート）を示す。すなわち、再生処理部１４２は、主制御部１３１に制御され、ピックアップ部１４１より供給された画像データのフレームレート（またはフィールドレート）を、必要に応じて、フォーマットレートに指定されたレートに変換し、画像音声処理部５３に供給する。従って、通常再生の場合、再生処理部１４２より出力された画像データのフレームレート（またはフィールドレート）は、フォーマットレートで指定された値となる。なお、再生出力装置１２が画像データを早送り再生や巻き戻し再生する場合は、画像データはフォーマットレートと異なるレートで再生される場合もある。すなわち、フォーマットレートは、早送り再生や巻き戻し再生等の変則的な再生の基準となる通常再生の場合のレートを示す。
【００８４】
これらのレートは、撮像記録装置１１において、撮像時に、装置情報１０２Ａやユーザが入力した入力撮像記録モード等に基づいて決定される。すなわち、図１の記録再生システム１において、キャプチャレート、レックレート、およびフォーマットレートは可変であり、撮像記録装置１１および再生出力装置１２は、これらのレート情報に基づいて、様々なモードで撮像、記録、および再生が可能である。
【００８５】
次に、撮像や記録のモードについて説明する。図４に撮像記録モードの例を示す。
【００８６】
撮像記録モード１７１は、撮像記録装置１１のROM１０２に記録されている装置情報１０２Ａや撮像記録装置１１の入力部１０４より入力された入力撮像記録モード１７２により決定される。
【００８７】
装置情報１０２Ａには、図４に示されるフォーマットレート１７３のように、フォーマットレートに関する情報が含まれている。撮像記録装置１１は、撮像して記録した画像データを再生出力装置１２が再生する場合の、基準となるレートを指定する。図１の記録再生システム１においては、このフォーマットレートにより、撮像記録装置１１と再生出力装置１２との間で、画像データのフレームレート（またはフィールドレート）の互換がとられる。例えば、撮像記録装置１１が、PAL（Phase Alternation by Line）方式で画像データを生成し、記録した場合、再生出力装置１２は、フィールドレートが５０フィールドのインターレース方式で再生する。また、例えば、撮像記録装置１１が、NTSC（National Television System Committee）方式で画像データを生成し、記録した場合、再生出力装置１２は、フィールドレートが６０フィールドのインターレース方式で再生する。なお、実際には、NTSC方式の垂直同期周波数は、59.94Hzであるが、説明の簡略化のため６０Hzとする。
【００８８】
以下においては、画像データがインターレース方式である場合のレートを「フィールドレートi」と称する。例えば、PAL方式の場合、レートは毎秒５０フィールドであるので、「５０ｉ」と称し、NTSC方式の場合、レートは毎秒６０フィールドであるので、「６０ｉ」と称する。
【００８９】
これに対して、プログレッシブ方式の画像データの場合、レートを「フレームレートｐ」と称する。例えば、レートが毎秒２５フレームのプログレッシブ方式の画像データは「２５ｐ」と称する。すなわち、この場合、レートはフレームのレートを示す。従って、「５０i」のインターレース方式に対応するプログレッシブ方式のレートは「２５ｐ」となる。
【００９０】
撮像記録装置１１は、通常、PALやNTSC等の放送規格のいずれか１つに対応しており、撮像して得られた画像データを、その規格に基づいた仕様で記録する。従って、フォーマットレートは、撮像に使用された撮像記録装置１１によって決定されるので、その装置情報１０２Ａに含まれる。図４の場合、フォーマットレート１７３として、PAL方式のレート「５０ｉ」が設定されている。
【００９１】
なお、工場出荷後に、この撮像記録装置１１が対応する規格を変更可能であるようにしてももちろんよい。その場合、装置情報１０２Ａを、ROM１０２の代わりに、書き換え可能なEEPROM（Electronically Erasable and Programmable Read Only Memory）やフラッシュメモリ等に記憶するようにする。もちろん、ユーザがこの撮像記録装置１１を用いて被写体を撮像する際に、入力部１０４を介してフォーマットレートを決定する事ができるようにしてもよい。
【００９２】
図４に示されるように、ユーザが入力する入力撮像記録モード１７２には、方式モード１７５と速度モード１７６の２つのモード設定がある。
【００９３】
方式モード１７５としては、例えば、インターレース方式の画像データを生成し、記録するインターレースモード１８１と、プログレッシブ方式の画像データを生成し、記録するプログレッシブモード１８２と、プログレッシブ方式の画像データを生成し、レートが対応するインターレース方式に変換して記録するPSF（Progressive Segmented Frame）方式モード１８３と、プログレッシブ方式の画像データを生成し、レートを変化させてインターレース方式に変換して記録するプルダウン方式モード１８４がある。
【００９４】
インターレースモード１８１の場合、撮像記録装置１１の撮像部２２は、インターレース方式でフィールド画像よりなる画像データを生成し、記録部２３は、そのフィールド画像よりなる画像データを光ディスク１３に記録する。プログレッシブモード１８２の場合、撮像記録装置１１の撮像部２２は、プログレッシブ方式でフレーム画像よりなる画像データを生成し、記録部２３は、そのフレーム画像よりなる画像データを光ディスク１３に記録する。
【００９５】
PSF方式モード１８３の場合、撮像記録装置１１の撮像部２２は、プログレッシブ方式でフレーム画像よりなる画像データを生成し、その各フレーム画像を２つのフィールド画像（奇数フィールドと偶数フィールド）に分割し、記録部２３は、そのフィールド画像よりなる画像データを光ディスク１３に記録する。各フレームとフィールドの関係については後述するが、このようにプログレッシブ方式の画像データをインターレース方式に変換することにより、再生時に、インターレースモード１８１により得られた画像データの場合と異なる効果が得られる。
【００９６】
プルダウン方式モード１８４の場合、撮像記録装置１１の撮像部２２は、プログレッシブ方式でフレーム画像よりなる画像データを生成し、そのフレーム画像を所定の比率（１：２以外の比率で）でフィールド画像に変換し、記録部２３は、そのレートが変化したフィールド画像よりなる画像データを光ディスク１３に記録する。各フレームとフィールドの関係については後述するが、このようにプログレッシブ方式の画像データを、レートを変換させてインターレース方式に変換することにより、再生時に、インターレースモード１８１により得られた画像データやPSF方式モード１８３により得られた画像データの場合と異なる効果が得られる。
【００９７】
これらの方式モード１７５は、ユーザが入力撮像記録モード１７２として入力したモードと、フォーマットレートとの関係により決定される。ただし、実際には、フォーマットレートが装置情報１０２Ａによって設定されている場合、撮像記録装置１１のユーザは、CCD１１２の動作についてのみ設定可能であるので、フォーマットレートによってユーザが設定することができない方式モードがある場合もある。例えば、図４に示されるように、装置情報１０２Ａによって、フォーマットレートが「５０ｉ」に設定されている場合、ユーザは、プログレッシブ方式の画像データが光ディスク１３に記録されるプログレッシブモード１８２を選択することはできない。すなわち、レックレートとフォーマットレートでは、インターレースかプログレッシブかは共通の設定となる。
【００９８】
また、速度モード１７６としては、例えば、フォーマットレートに対応するレートで画像データを生成し、記録する通常速度モード１８５と、フォーマットレートに対応するレートより高いレートで画像データを生成し、記録する高速度モード１８６と、フォーマットレートに対応するレートより低いレートで画像データを生成し、記録する低速度モード１８７とがある。
【００９９】
通常速度モード１８５の場合、撮像記録装置１１のCCD１１２は、通常再生時のレートと同じレート、すなわち、フォーマットレートで指定されるレートで画像データを生成する。
【０１００】
高速度モード１８６の場合、撮像記録装置１１のCCD１１２は、通常速度モード１８５の場合より電荷の取り込み頻度（光電変換処理の頻度）を増加させ、通常再生時のレートより高いレートの画像データを生成する。すなわち、高速度モード１８６において撮像記録装置１１は、通常速度モード１８５の場合よりも毎秒あたりのフレーム数が多い画像データを生成し、記録する。従って、高速度モード１８６で得られた画像データを再生出力装置１２がフォーマットレートに指定されたレートで通常再生すると、出力される画像は通常よりも遅いスローモーション画像となる。
【０１０１】
低速度モード１８７の場合、撮像記録装置１１のCCD１１２は、通常速度モード１８５の場合より電荷の取り込み頻度（光電変換処理の頻度）を減少させ、通常再生時のレートより低いレートの画像データを生成する。すなわち、低速度モード１８７において撮像記録装置１１は、通常速度モード１８５の場合よりも毎秒あたりのフレーム数が少ない画像データを生成し、記録する。従って、低速度モード１８７で得られた画像データを再生出力装置１２がフォーマットレートに指定されたレートで通常再生すると、出力される画像は通常よりも速い早送り画像となる。
【０１０２】
なお、これらの速度モード１７６は、シャッター速度やCCD１１２におけるデータの取り込み速度を設定するものではなく、生成される画像データのフレームレート（またはフィールドレート）と、光ディスク１３に記録される画像データのフレームレート（またはフィールドレート）を設定するものである。
【０１０３】
撮像記録装置１１のユーザは、これらの速度モード１７６から、所望のモードを選択し、入力撮像記録モード１７２として入力する。
【０１０４】
なお、撮像記録装置１１のユーザが高速度モード１８６や低速度モード１８７を指定した場合に得られる画像データのフレームレート（フィールドレート）は、予め定められた値であってもよいし、ユーザが入力撮像記録モード指示として指定するものであってもよい。また、ユーザが指定する場合、直接フレームレート（フィールドレート）を指定するようにしてもよいし、通常速度モード１７５時のレートの倍率で指定するようにしてもよい。すなわち、撮像記録装置１１のユーザが、入力撮像記録モード指示として、速度モード１７６を、「高速度モード」、「低速度モード」のようにモード名で指定するようにしてもよいし、「１００i」、「２５i」のようにレートで指定するようにしてもよいし、「２倍」、「１／２倍」のように、通常速度モード１７５に対する倍率で指定するようにしてもよい。
【０１０５】
次に、以上に説明したキャプチャレート、レックレート、およびフォーマットレートと、撮像記録モード１７１との具体的な関係の例について説明する。
【０１０６】
図５乃至図９は、各モードにおけるキャプチャレート、レックレート、およびフォーマットレートの例を説明する図である。
【０１０７】
図５は、フォーマットレートが５０ｉの場合（PAL方式の場合）の例を示している。図５Ａは通常速度モード（１倍速）の場合の例であり、図５Ｂは高速度モード（２倍速）の場合の例であり、図５Ｃは低速度モード（１／２倍速）の場合の例である。すなわち、図５Ａは、撮像記録装置１１がPAL方式に対応して動作し、ユーザが方式モード１７５としてインターレースモード１８１を選択し、速度モード１７６として、通常速度モード１８５を選択した場合の、キャプチャレート、レックレート、およびフォーマットレートの各値と、生成、記録、再生時のフィールド画像の関係の例を示しており、図５Ｂは、撮像記録装置１１がPAL方式に対応して動作し、ユーザが方式モード１７５としてインターレースモード１８１を選択し、速度モード１７６として、高速度モード１８６を選択した場合の、キャプチャレート、レックレート、およびフォーマットレートの各値と、生成、記録、再生時のフィールド画像の関係の例を示しており、図５Ｃは、撮像記録装置１１がPAL方式に対応して動作し、ユーザが方式モード１７５としてインターレースモード１８１を選択し、速度モード１７６として、低速度モード１８７を選択した場合の、キャプチャレート、レックレート、およびフォーマットレートの各値と、生成、記録、再生時のフィールド画像の関係の例を示している。
【０１０８】
図５Ａの場合、キャプチャレート、レックレート、およびフォーマットレートは、共通の「５０ｉ」に設定される。すなわち、この場合、撮像記録装置１１のCCD１１２は、第１フィールド画像（Ａ，Ｃ，Ｅ）、および第２フィールド画像（Ｂ，Ｄ）を、毎秒５０フィールドの頻度で交互に生成し、記録処理部１２１は、各フィールド画像を同じフィールドレートで記録し、再生出力装置１２の再生処理部１４２は、各フィールド画像を同じフィールドレートで再生する。
【０１０９】
このようにすることにより、再生出力装置１２は、通常再生により、撮像記録装置１１が生成した画像データの各フィールド画像を、同じ時間をかけて出力することになる。
【０１１０】
図５Ｂの場合、フォーマットレートの「５０ｉ」に対して、キャプチャレートおよびレックレートは２倍の「１００ｉ」に設定される。すなわち、この場合、撮像記録装置１１のCCD１１２は、電荷の取り込みの間隔を、図５Ａの場合の半分に縮め、光電変換処理の単位時間当たりの回数を２倍に増やし、第１フィールド画像（Ａ，Ｃ，Ｅ，Ｇ，Ｊ）、および第２フィールド画像（Ｂ，Ｄ，Ｆ，Ｈ，Ｋ）を、毎秒１００フィールドの頻度で交互に生成し、記録処理部１２１は、各フィールド画像を、そのフィールドレート（毎秒１００フィールド）で記録する。ただし、フォーマットレートは図５Ａの場合と同じなので、再生出力装置１２の再生処理部１４２は、各フィールド画像を、図５Ａの場合と同じフィールドレート（毎秒５０フィールド）で再生する。
【０１１１】
このようにすることにより、再生出力装置１２は、通常再生により、撮像記録装置１１が生成した画像データの各フィールド画像を、２倍の時間をかけて出力することになる。すなわち、この場合、再生出力装置１２が通常再生した画像は、スローモーション画像となる。このような撮像方法は、例えば、スポーツの撮影や水滴の動作などのように高速に動作する被写体を撮像する場合に用いられる。
【０１１２】
図５Ｃの場合、フォーマットレートの「５０ｉ」に対して、キャプチャレートおよびレックレートは１／２倍の「２５ｉ」に設定される。すなわち、この場合、撮像記録装置１１のCCD１１２は、電荷の取り込みの間隔を、図５Ａの場合の２倍に延ばし、光電変換処理の単位時間当たりの回数を半分に減らし、第１フィールド画像（Ａ，Ｃ）、および第２フィールド画像（Ｂ）を、毎秒２５フィールドの頻度で交互に生成し、記録処理部１２１は、各フィールド画像を、そのフィールドレート（毎秒２５フィールド）で記録する。ただし、フォーマットレートは図５Ａの場合と同じなので、再生出力装置１２の再生処理部１４２は、各フィールド画像を、図５Ａの場合と同じフィールドレート（毎秒５０フィールド）で再生する。
【０１１３】
このようにすることにより、再生出力装置１２は、通常再生により、撮像記録装置１１が生成した画像データの各フィールド画像を、半分の時間をかけて出力することになる。すなわち、この場合、再生出力装置１２が通常再生した画像は、早回しの再生となる。このような撮像方法は、例えば、定点観測などのように長時間にわたる被写体の変化を撮像する場合に用いられる。
【０１１４】
図６は、フォーマットレートが２５ｐの場合の例を示している。図６Ａは通常速度モード（１倍速）の場合の例であり、図６Ｂは高速度モード（２倍速）の場合の例であり、図６Ｃは低速度モード（１／２倍速）の場合の例である。すなわち、図６Ａは、撮像記録装置１１がプログレッシブの画像を生成して記録することが可能であり（フォーマットレートが２５ｐに設定されており）、ユーザが方式モード１７５としてプログレッシブモード１８２を選択し、速度モード１７６として、通常速度モード１８５を選択した場合の、キャプチャレート、レックレート、およびフォーマットレートの各値と、生成、記録、再生時のフィールド画像の関係の例を示しており、図６Ｂは、撮像記録装置１１がプログレッシブの画像を生成して記録することが可能であり（フォーマットレートが２５ｐに設定されており）、ユーザが方式モード１７５としてプログレッシブモード１８２を選択し、速度モード１７６として、高速度モード１８６を選択した場合の、キャプチャレート、レックレート、およびフォーマットレートの各値と、生成、記録、再生時のフィールド画像の関係の例を示しており、図６Ｃは、撮像記録装置１１がプログレッシブの画像を生成して記録することが可能であり（フォーマットレートが２５ｐに設定されており）、ユーザが方式モード１７５としてプログレッシブモード１８２を選択し、速度モード１７６として、低速度モード１８７を選択した場合の、キャプチャレート、レックレート、およびフォーマットレートの各値と、生成、記録、再生時のフィールド画像の関係の例を示している。
【０１１５】
図６Ａの場合、キャプチャレート、レックレート、およびフォーマットレートは、共通の「２５ｐ」に設定される。すなわち、この場合、撮像記録装置１１のCCD１１２は、フレーム画像（Ａ乃至Ｃ）を、毎秒２５フレームの頻度で生成し、記録処理部１２１は、各フレーム画像を同じフレームレートで記録し、再生出力装置１２の再生処理部１４２は、各フレーム画像を同じフレームレートで再生する。
【０１１６】
このようにすることにより、再生出力装置１２は、通常再生により、撮像記録装置１１が生成した画像データの各フレーム画像を、同じ時間をかけて出力することになる。
【０１１７】
図６Ｂの場合、フォーマットレートの「２５ｐ」に対して、キャプチャレートおよびレックレートは２倍の「５０ｐ」に設定される。すなわち、この場合、撮像記録装置１１のCCD１１２は、電荷の取り込みの間隔を、図６Ａの場合の半分に縮め、光電変換処理の単位時間当たりの回数を２倍に増加し、フレーム画像（Ａ乃至Ｅ）を、毎秒５０フレームの頻度で生成し、記録処理部１２１は、各フレーム画像を、そのフレームレート（毎秒５０フレーム）で記録する。ただし、フォーマットレートは図６Ａの場合と同じなので、再生出力装置１２の再生処理部１４２は、各フレーム画像を、図６Ａの場合と同じフレームレート（毎秒２５フレーム）で再生する。
【０１１８】
このようにすることにより、再生出力装置１２は、通常再生により、撮像記録装置１１が生成した画像データの各フレーム画像を、２倍の時間をかけて出力することになる。
【０１１９】
図６Ｃの場合、フォーマットレートの「２５ｐ」に対して、キャプチャレートおよびレックレートは１／２倍の「１２．５ｐ」に設定される。すなわち、この場合、撮像記録装置１１のCCD１１２は、電荷の取り込みの間隔を、図６Ａの場合の２倍に延ばし、光電変換処理の単位時間当たりの回数を半分に減らし、フレーム画像（Ａ，Ｂ）を、毎秒１２．５フレームの頻度で生成し、記録処理部１２１は、各フレーム画像を、そのフレームレート（毎秒１２．５フレーム）で記録する。ただし、フォーマットレートは図６Ａの場合と同じなので、再生出力装置１２の再生処理部１４２は、各フレーム画像を、図６Ａの場合と同じフレームレート（毎秒２５フレーム）で再生する。
【０１２０】
このようにすることにより、再生出力装置１２は、通常再生により、撮像記録装置１１が生成した画像データの各フレーム画像を、半分の時間をかけて出力することになる。
【０１２１】
図７は、フォーマットレートが５０ｉであり、PSF方式で画像データを記録する場合の例を示している。図７Ａは通常速度モード（１倍速）の場合の例であり、図７Ｂは高速度モード（２倍速）の場合の例であり、図７Ｃは低速度モード（１／２倍速）の場合の例である。すなわち、図７Ａは、撮像記録装置１１がPAL方式の画像データを記録することができ（フォーマットレートが５０iに設定されており）、ユーザが方式モード１７５としてPSF方式モード１８３を選択し、速度モード１７６として、通常速度モード１８５を選択した場合の、キャプチャレート、レックレート、およびフォーマットレートの各値と、生成、記録、再生時のフィールド画像の関係の例を示しており、図７Ｂは、撮像記録装置１１がPAL方式の画像データを記録することができ（フォーマットレートが５０iに設定されており）、ユーザが方式モード１７５としてPSF方式モード１８３を選択し、速度モード１７６として、高速度モード１８６を選択した場合の、キャプチャレート、レックレート、およびフォーマットレートの各値と、生成、記録、再生時のフィールド画像の関係の例を示しており、図７Ｃは、撮像記録装置１１がPAL方式の画像データを記録することができ（フォーマットレートが５０iに設定されており）、ユーザが方式モード１７５としてPSF方式モード１８３を選択し、速度モード１７６として、低速度モード１８７を選択した場合の、キャプチャレート、レックレート、およびフォーマットレートの各値と、生成、記録、再生時のフィールド画像の関係の例を示している。
【０１２２】
図７Ａの場合、キャプチャレートは「２５ｐ」に設定され、レックレートおよびフォーマットレートは、PAL方式の「５０i」に設定される。すなわち、この場合、撮像記録装置１１のCCD１１２は、フレーム画像（Ａ乃至Ｃ）を、毎秒２５フレームの頻度で生成し、信号処理部１１４は、各フレーム画像から、第１フィールド画像（奇数フィールド）（Ａ１，Ｂ１，Ｃ１）と第２フィールド画像（偶数フィールド）（Ａ２，Ｂ２，Ｃ２）を生成し、記録処理部１２１は、各フィールド画像を順番に、キャプチャレートとして設定されたフレームレート（毎秒２５フレーム）に対応するフィールドレート（毎秒５０フィールド）で（すなわち、１フレームに対して２フィールドとなるように）記録し、再生出力装置１２の再生処理部１４２は、各フィールド画像を同じフィールドレート（毎秒５０フィールド）で再生する。
【０１２３】
この場合、図７Ａに示されるように、１つのフレーム画像から２つのフィールド画像、例えば、フレーム画像Ａから第１フィールド画像Ａ１と第２フィールド画像Ａ２が生成される。すなわち、この場合、互いに対応する第１フィールド画像と第２フィールド画像とで、画像が生成されたタイミング（CCD１１２において電荷が取り込まれたタイミング）が等しくなる。従って、この場合の画像データは、図５Ａの場合と異なり、再生された後、再度プログレッシブ方式に変換する（フィールド画像を合成してフレーム画像を生成する）ことも可能である。
【０１２４】
図７Ｂの場合、フォーマットレートの「５０i」に対して、レックレートは２倍の「１００i」に設定され、キャプチャレートは、そのレックレートに対応する「５０ｐ」に設定される。すなわち、この場合、撮像記録装置１１のCCD１１２は、電荷の取り込みの間隔を、図７Ａの場合の半分に縮め、光電変換処理の単位時間当たりの回数を２倍に増やし、フレーム画像（Ａ乃至Ｅ）を、毎秒５０フレームの頻度で生成し、信号処理部１１４は、各フレーム画像から、第１フィールド画像（奇数フィールド）（Ａ１，Ｂ１，Ｃ１，Ｄ１，Ｅ１）と第２フィールド画像（偶数フィールド）（Ａ２，Ｂ２，Ｃ２，Ｄ２，Ｅ２）を生成し、記録処理部１２１は、各フィールド画像を順番に、キャプチャレートとして設定されたフレームレート（毎秒５０フレーム）に対応するフィールドレート（毎秒１００フィールド）で記録し、再生出力装置１２の再生処理部１４２は、各フィールド画像を、図７Ａの場合と同じフィールドレート（毎秒５０フィールド）で再生する。
【０１２５】
このようにすることにより、再生出力装置１２は、通常再生により、撮像記録装置１１が記録した画像データの各フィールド画像を、２倍の時間をかけて出力することになる。
【０１２６】
図７Ｃの場合、フォーマットレートの「５０i」に対して、レックレートは１／２倍の「２５i」に設定され、キャプチャレートは、そのレックレートに対応する「１２．５ｐ」に設定される。すなわち、この場合、撮像記録装置１１のCCD１１２は、電荷の取り込みの間隔を、図７Ａの場合の２倍に延ばし、光電変換処理の単位時間当たりの回数を半分に減らし、フレーム画像（Ａ，Ｂ）を、毎秒１２．５フレームの頻度で生成し、信号処理部１１４は、各フレーム画像から、第１フィールド画像（奇数フィールド）（Ａ１，Ｂ１）と第２フィールド画像（偶数フィールド）（Ａ２，Ｂ２）を生成し、記録処理部１２１は、各フィールド画像を順番に、キャプチャレートとして設定されたフレームレート（毎秒１２．５フレーム）に対応するフィールドレート（毎秒２５フィールド）で記録し、再生出力装置１２の再生処理部１４２は、各フィールド画像を、図７Ａの場合と同じフィールドレート（毎秒５０フィールド）で再生する。
【０１２７】
このようにすることにより、再生出力装置１２は、通常再生により、撮像記録装置１１が記録した画像データの各フィールド画像を、半分の時間で出力することになる。
【０１２８】
図８は、フォーマットレートが６０ｉであり、２−３プルダウン方式で画像データを記録する場合の例を示している。図８Ａは通常速度モード（１倍速）の場合の例であり、図８Ｂは高速度モード（２倍速）の場合の例であり、図８Ｃは低速度モード（１／２倍速）の場合の例である。すなわち、図８Ａは、フォーマットレートが６０iに設定されており、ユーザが方式モード１７５としてプルダウン方式モード１８４（２−３プルダウン方式）を選択し、速度モード１７６として、通常速度モード１８５を選択した場合の、キャプチャレート、レックレート、およびフォーマットレートの各値と、生成、記録、再生時のフィールド画像の関係の例を示しており、図８Ｂは、フォーマットレートが６０iに設定されており、ユーザが方式モード１７５としてプルダウン方式モード１８４（２−３プルダウン方式）を選択し、速度モード１７６として、高速度モード１８６を選択した場合の、キャプチャレート、レックレート、およびフォーマットレートの各値と、生成、記録、再生時のフィールド画像の関係の例を示しており、図７Ｃは、フォーマットレートが６０iに設定されており、ユーザが方式モード１７５としてプルダウン方式モード１８４（２−３プルダウン方式）を選択し、速度モード１７６として、低速度モード１８７を選択した場合の、キャプチャレート、レックレート、およびフォーマットレートの各値と、生成、記録、再生時のフィールド画像の関係の例を示している。
【０１２９】
図８Ａの場合、キャプチャレートは「２４ｐ」に設定され、レックレートおよびフォーマットレートは、NTSC方式の「６０i」に設定される。すなわち、この場合、撮像記録装置１１のCCD１１２は、フレーム画像（Ａ，Ｂ）を、毎秒２４フレームの頻度で生成し、信号処理部１１４は、各フレーム画像から、２−３プルダウン方式で、第１フィールド画像（奇数フィールド）（Ａ１，Ｂ１）と第２フィールド画像（偶数フィールド）（Ａ２，Ｂ２）を図のような順番で生成し、記録処理部１２１は、各フィールド画像を順番に、キャプチャレートとして設定されたフレームレート（毎秒２４フレーム）に対して毎秒６０フィールドで（すなわち、２フレームに対して５フィールドとなるように）記録し、再生出力装置１２の再生処理部１４２は、各フィールド画像を同じフィールドレート（毎秒６０フィールド）で再生する。
【０１３０】
このようにすることにより、例えば、フィルム映画のように方式やレートの異なる画像データをNTSC等のテレビジョン信号の規格に対応させることができる。
【０１３１】
図８Ｂの場合、フォーマットレートの「６０i」に対して、レックレートは２倍の「１２０i」に設定され、キャプチャレートは、そのレックレートに対応するように「４８ｐ」に設定される。すなわち、この場合、撮像記録装置１１のCCD１１２は、電荷の取り込みの間隔を、図８Ａの場合の半分に縮め、光電変換処理の単位時間当たりの回数を２倍に増やし、フレーム画像（Ａ乃至Ｄ）を、毎秒４８フレームの頻度で生成し、信号処理部１１４は、各フレーム画像から、第１フィールド画像（奇数フィールド）（Ａ１，Ｂ１，Ｃ２，Ｄ２）と第２フィールド画像（偶数フィールド）（Ａ２，Ｂ２，Ｃ１，Ｄ１）を図のような順番で生成し、記録処理部１２１は、各フィールド画像を順番に、キャプチャレートとして設定されたフレームレート（毎秒４８フレーム）に対して毎秒１２０フィールドで（すなわち、２フレームに対して５フィールドを保つように）記録し、再生出力装置１２の再生処理部１４２は、各フィールド画像を、図８Ａの場合と同じフィールドレート（毎秒６０フィールド）で再生する。
【０１３２】
このようにすることにより、再生出力装置１２は、通常再生により、撮像記録装置１１が記録した画像データの各フィールド画像を、２倍の時間をかけて出力することになる。
【０１３３】
図８Ｃの場合、フォーマットレートの「６０i」に対して、レックレートは１／２倍の「３０i」に設定され、キャプチャレートは、そのレックレートに対応するように「１２ｐ」に設定される。すなわち、この場合、撮像記録装置１１のCCD１１２は、電荷の取り込みの間隔を、図８Ａの場合の２倍に延ばし、光電変換処理の単位時間当たりの回数を半分に減らし、フレーム画像（Ａ，Ｂ）を、毎秒１２フレームの頻度で生成し、信号処理部１１４は、各フレーム画像から、第１フィールド画像（奇数フィールド）（Ａ１，Ｂ１）と第２フィールド画像（偶数フィールド）（Ａ２，Ｂ２）を図のような順番で生成し、記録処理部１２１は、各フィールド画像を順番に、キャプチャレートとして設定されたフレームレート（毎秒１２フレーム）に対して毎秒３０フィールドで（すなわち、２フレームに対して５フィールドを保つように）記録し、再生出力装置１２の再生処理部１４２は、各フィールド画像を、図８Ａの場合と同じフィールドレート（毎秒６０フィールド）で再生する。
【０１３４】
このようにすることにより、再生出力装置１２は、通常再生により、撮像記録装置１１が記録した画像データの各フィールド画像を、半分の時間で出力することになる。
【０１３５】
撮像記録装置１１の制御部２１は、入力された入力撮像記録モード指示とROM１０２に記録されている装置情報１０２Ａに基づいて、上述したように撮像部２２および記録部２３を制御するとともに、それらの情報をレート情報作成部２４に供給する。レート情報作成部２４は、制御部２１より供給される入力撮像記録モード指示や装置情報１０２Ａに基づいて、以上のようなキャプチャレート、レックレート、およびフォーマットレートを生成し、記録部２３に記録する。記録部２３は、レート情報作成部２４より供給されるこれらのレート情報を撮像部２２より供給される画像データや音声データに関連付けて光ディスク１３に記録する。
【０１３６】
このようにすることにより、再生出力装置１２が、光ディスク１３に記録された画像データや音声データを再生する場合に、再生処理や出力処理に必要なレート情報を取得することができるだけでなく、キャプチャレートやレックレート等、撮像時や記録時のレート情報をモニタに出力させることもできる。すなわち、撮像記録装置１１は、上述したように、レート情報を光ディスク１３に記録することにより、再生出力装置１２にレート情報を提供することができる。
【０１３７】
次に、以上の処理の具体的な流れについて説明する。
【０１３８】
例えば、撮像記録装置１１に電源が投入されると、主制御部１０１は、撮像記録制御処理を実行して撮像記録装置１１の各部を制御する。図９および図１０のフローチャートを参照して、撮像記録制御処理を説明する。
【０１３９】
最初に、主制御部１０１は、ステップＳ１において、初期設定処理を実行し、各部の状態を初期化し、ステップＳ２において、例えばRAM１０３等に保持される撮像記録制御設定を初期化する。撮像記録制御設定は、主制御部１０１が撮像部２２および記録部２３を制御するための設定情報であり、例えば、ROM１０２に記録されている装置情報１０２Ａやユーザにより入力された入力撮像記録モード指示の内容を含む。すなわち、主制御部１０１は、この撮像記録制御設定に基づいて決定したキャプチャレートやレックレートで撮像部２２および記録部２３を制御する。
【０１４０】
ステップＳ２の処理が終了した主制御部１０１は、ステップＳ３において、入力部１０４を制御し、入力撮像記録モード１７２を受け付けたか否かを判定し、入力撮像記録モード１７２を受け付けたと判定した場合、ステップＳ４に処理を進め、ROM１０２に記録されている装置情報１０２Ａを読み出し、その装置情報１０２Ａおよび入力部１０４より入力された入力撮像記録モードに応じてキャプチャレートやレックレートを決定し、撮像記録制御設定を更新する。
【０１４１】
ステップＳ４の処理が終了すると、主制御部１０１は、ステップＳ５において、撮像部２２および記録部２３が、撮像処理および記録処理を実行中であるか否かを判定する。すなわち、主制御部１０１は、被写体を撮像中であるか否かを判定し、撮像中である（撮像処理および記録処理を実行中である）と判定した場合、ステップＳ６に処理を進め、撮像記録制御設定の更新内容を、撮像部２２および記録部２３の制御に反映させる。また、主制御部１０１は、ステップＳ７において、ROM１０２より読み出した装置情報１０２Ａ、および、入力された入力撮像記録モードをレート情報作成部２４に供給し、各種のレート情報（キャプチャレート、レックレート、およびフォーマットレート）を作成させ、それらを記録部２３に供給させ、ステップＳ８において、記録部２３を制御し、それらのレート情報を画像データや音声データに関連付けて光ディスク１３に記録させる。ステップＳ８の処理を終了した主制御部１０１は、図１０のステップＳ１１に処理を進める。
【０１４２】
また、図９のステップＳ５において、撮像処理および記録処理が実行中でないと判定した場合、主制御部１０１は、ステップＳ６乃至ステップＳ８の処理を省略し、図１０のステップＳ１１に処理を進める。また、図９のステップＳ３において、入力撮像記録モードを受け付けていないと判定した場合、主制御部１０１は、ステップＳ４乃至ステップＳ８の処理を省略し、図１０のステップＳ１１に処理を進める。すなわち、主制御部１０１は、撮像中の場合のみ、入力された入力撮像記録モード１７２を撮像部２２および記録部２３の制御に反映させるとともに、新たなレート情報を作成させて、それらを画像データおよび音声データに対応させて光ディスク１３に記録する。撮像中でない場合、主制御部１０１は、入力撮像記録モード１７２に対応する、撮像部２２および記録部２３の制御の更新や、新たなレート情報の作成等は行わない。また、入力撮像記録モード１７２が入力されていない場合は、撮像記録制御設定の更新も行わない。
【０１４３】
図１０のステップＳ１１において、主制御部１０１は、入力部１０４を制御し、撮像記録開始指示を受け付けたか否かを判定し、撮像記録開始指示を受け付けたと判定した場合、ステップＳ１２において、RAM１０３に保持されている撮像記録制御設定に基づいて、撮像部２２および記録部２３を制御し、撮像処理および記録処理を開始させる。また、主制御部１０１は、ステップＳ１３において、入力撮像記録モード１７２および装置情報１０２Ａをレート情報作成部２４に供給し、レート情報（キャプチャレート、レックレート、およびフォーマットレート）を作成させて、それらを記録部２３に供給させ、ステップＳ１４において、記録部２３を制御し、それらのレート情報を画像データや音声データに関連付けて光ディスク１３に記録させる。
【０１４４】
ステップＳ１４の処理を終了した主制御部１０１は、ステップＳ１５に処理を進める。また、ステップＳ１１において、撮像記録開始指示を受け付けていないと判定した場合、主制御部は、ステップＳ１２乃至Ｓ１４の処理を省略し、ステップＳ１５に処理を進める。
【０１４５】
ステップＳ１５において、主制御部１０１は、撮像記録終了指示を受け付けたか否かを判定し、撮像記録終了指示を受け付けたと判定した場合、ステップＳ１６において、撮像部２２および記録部２３を制御し、撮像処理および記録処理を終了させ、ステップＳ１７に処理を進める。また、ステップＳ１５において撮像記録終了指示を受け付けていないと判定した場合、主制御部１０１は、ステップＳ１６の処理を省略し、ステップＳ１７に処理を進める。
【０１４６】
ステップＳ１７において、主制御部１０１は、撮像記録制御処理を終了するか否かを判定し、終了しないと判定した場合、処理を図９のステップＳ３に戻し、それ以降の処理を繰り返す。また、図１０のステップＳ１７において撮像記録制御処理を終了すると判定した場合、主制御部１０１は、ステップＳ１８に処理を進め、終了処理を行った後、撮像記録制御処理を終了する。
【０１４７】
すなわち、主制御部１０１は、撮像処理および記録処理を開始する際と、ユーザにより入力撮像記録モードが変更された際に、レート情報作成部２４に、更新された新たなレート情報（キャプチャレート、レックレート、およびフォーマットレート）を作成させ、記録部２３に、それらのレート情報を画像データおよび音声データに対応させて光ディスク１３に記録させる。
【０１４８】
主制御部１０１がこのように制御することにより、光ディスク１３には、図１１に示されるようなキャプチャレート、レックレート、およびフォーマットレートの変化点（フレーム）を示す変化点テーブル１９１が記録される。
【０１４９】
図１１の例の場合、変化点テーブル１９１は、キャプチャレート、レックレート、およびフォーマットレートの各レート情報の変化点がフレーム番号に対応付けられている。例えば、フレーム番号「０」（すなわち、開始フレーム）に対応するキャプチャレート、レックレート、およびフォーマットレートは、いずれも「５０ｉ」であり、フレーム番号「１０００」に対応するキャプチャレートおよびレックレートは「１００ｉ」であり、フォーマットレートは「５０ｉ」であり、フレーム番号「２０００」に対応するキャプチャレートおよびレックレートは「２５ｉ」であり、フォーマットレートは「５０ｉ」である。
【０１５０】
すなわち、変化点テーブル１９１は、撮像記録装置１１がPAL方式に対応した画像データを生成し、撮像開始時において、ユーザが、入力撮像記録モード１７２として、インターレースモード１８１および通常速度モード１８５を指示し、第１０００フレーム目において、ユーザが、入力撮像記録モード１７２として、インターレースモード１８１および高速度モード１８６（２倍速）を指示し、第２０００フレーム目において、ユーザが、入力撮像記録モード１７２として、インターレースモード１８１および低速度モード１８７（１／２倍速）を指示したことを示している。
【０１５１】
図１１においては、各レート情報の変化点をフレーム番号に対応させているが、これに限らず、フィールド番号やタイムコードに対応させるようにしてももちろんよい。
【０１５２】
また、これらのレート情報は、光ディスク１３において、図１２Ａに示されるように、所定の単位の音声データおよび画像データに対応するメタデータとして記録されるようにしてもよいし、図１２Ｂに示されるように、１回の撮像処理（撮像開始から撮像終了までの処理）により得られる音声データおよび画像データ（以下において、クリップと称する）に対応するメタデータとして記録されるようにしてもよいし、図１２Ｃに示されるように音声データや画像データと異なる領域に記録されるようにしてもよい。
【０１５３】
図１２Ａの例の場合、例えばフレーム単位の音声データ２０１および画像データ２０２に対応するメタデータ２０３としてキャプチャレート４１、レックレート４２、およびフォーマットレート４３が記録される。すなわち、この場合、光ディスク１３においては、音声データや画像データがフレーム単位で分割されており、１フレーム分の音声データ２０１、１フレーム分の画像データ２０２、それらのメタデータ２０３、次の１フレーム分の音声データ２０４、次の１フレーム分の画像データ２０５、それらのメタデータ２０６のような順番で記録されている。各メタデータは直前の画像データおよび音声データに対応し、キャプチャレート４１、レックレート４２、およびフォーマットレート４３も、その直前の画像データおよび音声データに対応するレート情報である。
【０１５４】
図１２Ｂの例の場合、例えばクリップ単位の音声データおよび画像データに対応するメタデータとしてキャプチャレート、レックレート、およびフォーマットレートが記録される。すなわち、この場合、光ディスク１３においては、音声データ２１１、画像データ２１２、音声データ２１３、画像データ２１４、音声データ２１５、画像データ２１６のように１フレーム分の音声データおよび画像データが所定の順番で並べられ、１クリップ分の音声データと画像データがまとめられている。このような１クリップ分の音声データおよび画像データに対応するメタデータ２１７として、キャプチャレート４１、レックレート４２、およびフォーマットレート４３が記録される。メタデータ２１７の後には、音声データ２１８および画像データ２１９のように、他のクリップのデータが続いて記録される。
【０１５５】
図１２Ｃの例の場合、キャプチャレート、レックレート、およびフォーマットレートは、音声データおよび画像データが記録されている領域と異なる領域に記録される。すなわち、この場合、光ディスク１３においては、音声データおよび画像データは、音声データ２２１乃至画像データ２２６のように、所定の記憶領域である第１の領域に記録され、それらに対応するレート情報であるキャプチャレート４１、レックレート４２、およびフォーマットレート４３を含むメタデータ２４１は、第１の領域と異なる記憶領域である第２の領域に記録される。このとき、音声データおよび画像データには、所定の単位毎にUMID（Unique Material IDentifier）２３１が割り当てられており、メタデータ２４１には、そのUMIDを指定するUMID情報２４２が含まれている。すなわち、この場合、各レート情報は、UMIDを用いて関連付けられており、メタデータ２４１は、UMID２４２に記述されたUMID２３１により、音声データや画像データに関連付けられている。
【０１５６】
なお、レート情報（キャプチャレート、レックレート、およびフォーマットレート）は、画像データや音声データが記録される記録媒体と異なる記録媒体に記録されるようにしてもよい。その場合、レート情報は、図１２Ｃに示される場合と同様に、例えばUMID等の識別子を用いて、画像データおよび音声データに関連付けられる。
【０１５７】
次に、図１３のフローチャートを参照して、上述したように主制御部１０１に制御されたレート情報作成部２４により実行されるレート情報作成処理について説明する。
【０１５８】
主制御部１０１に装置情報１０２Ａおよび入力撮像記録モードを供給され、レート情報の作成を指示されたレート情報作成処理部２４は、ステップＳ３１において、供給された装置情報に基づいてフォーマットレートを求め、ステップＳ３２において、装置情報および入力撮像記録モードに基づいてレックレートを求め、ステップＳ３３において、装置情報および入力撮像記録モードに基づいてキャプチャレートを求める。
【０１５９】
そして、レート情報作成処理部２４は、ステップＳ３４において、ステップＳ３１乃至ステップＳ３３の処理により求めたキャプチャレート、レックレート、およびフォーマットレートをレート情報として記録部２３に供給し、レート情報作成処理を終了する。
【０１６０】
例えば、図５Ａの例の場合、装置情報１０２Ａにおいて、フォーマットレートが「５０ｉ」に設定されているので、レート情報作成処理部２４は、フォーマットレートを「５０ｉ」とする。また、図５Ａの例の場合、入力撮像記録モードとして、インターレースモードの通常速度モードが指定されているので、レート情報作成処理部２４は、キャプチャレート及びレックレートをフォーマットレートと同じ「５０ｉ」とする。このようにすることにより、レート情報作成処理部２４は、装置情報および入力撮像記録モードに基づいてレート情報を求め、光ディスク１３に記録させることができる。すなわち、撮像記録装置１１は、ユーザの入力等に基づいて作成したレート情報を再生出力装置１２に提供することができる。
【０１６１】
次に、再生出力装置の動作について説明する。
【０１６２】
再生出力装置１２の主制御部１３１は、例えば電源が投入されたり、上述したように、撮像記録装置１１において画像データや音声データ等とともにレート情報が記録された光ディスク１３を、図示せぬドライブに装着されたりすると、再生出力制御処理を実行する。
【０１６３】
図１４および図１５のフローチャートを参照して、再生出力制御処理を説明する。
【０１６４】
最初に、再生出力装置１２の主制御部１３１は、ステップＳ５１において、初期設定処理を行って各部の状態を初期化し、ステップＳ５２において、主制御部１３１が制御する各部の動作設定等に関する情報である再生出力制御設定を初期化し、ステップＳ５３において、レート情報の表示設定を初期化（例えば、非表示に設定）する。
【０１６５】
ステップＳ５４において、主制御部１３１は、現在、再生処理、画像音声処理、および出力処理を実行中であるか否かを判定し、実行中でないと判定した場合、ステップＳ５５において、入力部１３４を制御し、ユーザにより入力されるレート情報表示指示を受け付けたか否かを判定する。ユーザがレート情報の表示に関する指示（表示するかしないかの指示）を入力したと判定した場合（レート情報表示指示を受け付けたと判定した場合）、主制御部１３１は、ステップＳ５６に処理を進め、入力された指示に基づいてレート情報の表示設定を更新し、処理をステップＳ５７に進める。なお、ステップＳ５５において、レート情報表示指示を受け付けていないと判定した場合、主制御部１３１は、ステップＳ５６の処理を省略し、ステップＳ５７に処理を進める。
【０１６６】
ステップＳ５７において、主制御部１３１は、入力部１３４を制御し、ユーザにより入力される再生出力開始指示を受け付けたか否かを判定し、受け付けたと判定した場合、ステップＳ５８に処理を進め、再生部５２の駆動制御部１４３を制御し、レート情報の読み出しを実行させる。ピックアップ部１４１は、駆動制御部１４３に制御され、図示せぬドライブに装着された光ディスク１３より所望の画像データ（および音声データ）に対応するレート情報を読み出し、レート情報判定部５５にそのレート情報を供給する。
【０１６７】
ステップＳ５９において、主制御部１３１は、レート情報判定部５５を制御し、ピックアップ部１４１より供給されるレート情報に基づいて、データ変換部１５２における画像データのデータ変換処理の有無を判定させ、その判定結果とレート情報を取得する。そして、主制御部１３１は、ステップＳ６０において、供給された判定結果とフォーマットレートに基づいて、再生出力制御設定を更新し、ステップＳ６１において、その再生出力制御設定およびレート情報の表示設定に基づいて、再生部５２の再生処理部１４２および駆動制御部１４３、画像音声処理部５３の信号処理部１５１、並びに、出力部５４のモニタ１６１およびスピーカ１６２の動作を制御し、再生処理、画像音声処理、並びに出力処理を開始させる。
【０１６８】
この処理により、再生部５２の再生処理部１４２は、レート情報に基づいて再生処理を開始することができる。すなわち、再生処理部１４２は、撮像記録装置１１に指定されたフォーマットレートで通常再生を開始することができる。
【０１６９】
また、信号処理部１５１のデータ変換部１５２は、主制御部１３１のこのような制御により、必要に応じて、データ変換処理を開始することができる。例えば、後述するように、光ディスク１３に記録されている画像データがPSF方式の画像データである場合、レート情報判定部５５によりデータ変換を行うように判定されると、データ変換部１５２は、再生出力制御設定によりその判定結果を取得し、インターレース方式の画像データをプログレッシブ方式の画像データに変換する処理を開始することができる。また、再生出力制御設定により、データ変換を行わないという判定結果を取得すると、データ変換部１５２は、供給された画像データを変換せずに出力する処理を開始することもできる。
【０１７０】
さらに、出力情報作成部１５３は、主制御部１３１より供給されるレート情報の表示設定に基づいて、同様に供給されたレート情報をモニタ１６１より出力するか否かを判定し、出力する場合は、そのレート情報の表示用画像を生成し、それを、光ディスク１３より読み出された画像データに合成する処理を開始することができる。
【０１７１】
そして出力部５４のモニタ１６１およびスピーカ１６２は、主制御部１３１に制御されて、画像音声処理部５３より供給される画像や音声を出力する処理を開始することができる。
【０１７２】
以上のように、各処理を開始させた主制御部１３１は、図１５のステップＳ８０に処理を進める。また、図１４のステップＳ５７において、再生出力開始指示を受け付けていないと判定したい場合、主制御部１３１は、ステップＳ５８乃至ステップＳ６１の処理を省略し、図１５のステップＳ８０に処理を進める。
【０１７３】
図１５のステップＳ８０において、主制御部１３１は、再生出力制御処理を終了するか否かを判定し、終了しないと判定した場合、図１４のステップＳ５４に処理を戻し、それ以降の処理を繰り返す。図１５のステップＳ８０において、再生出力制御処理を終了すると判定した場合、主制御部１３１は、ステップＳ８１において終了処理を行い、再生出力制御処理を終了する。
【０１７４】
なお、図１４のステップＳ５４において、再生処理、画像音声処理、および出力処理を実行中であると判定した場合、主制御部１３１は、図１５のステップＳ７１に処理を進め、入力部１３４を制御し、レート情報表示指示を受け付けたか否かを判定する。レート情報表示指示を受け付けたと判定した場合、主制御部１３１は、ステップＳ７２において、受け付けた指示に基づいてレート情報の表示設定を更新し、ステップＳ７３において、更新したレート情報の表示設定に基づいて、再生処理、画像音声処理、出力処理を実行させ、レート情報を表示させるように、または非表示とするように各部を制御する。
【０１７５】
ステップＳ７３の処理が終了すると、主制御部１３１は、処理をステップＳ７４に進める。また、ステップＳ７１においてレート情報表示指示を受け付けていないと判定した場合、主制御部１３１は、ステップＳ７２およびステップＳ７３の処理を省略し、ステップＳ７４に処理を進める。
【０１７６】
ステップＳ７４において、主制御部１３１は、光ディスク１３より読み出した画像データが、光ディスク１３より読み出したレート情報の変化点に一致し、画像データに対応するレート情報が変化したか否かを判定し、レート情報が変化したと判定した場合、処理をステップＳ７５に進め、レート情報判定部５５を制御してデータ変換の有無を判定し、ステップＳ７６において、その判定結果およびフォーマットレートに基づいて、再生出力制御設定を更新し、ステップＳ７７において、その更新した再生出力制御設定に基づいて、再生処理、画像音声処理、並びに出力処理を実行させる。
【０１７７】
主制御部１３１がこのように制御することにより、再生処理部１４２は、レート情報に基づいて、撮像記録装置１１に指定されたフォーマットレートで通常再生することができ、データ変換部１５２は、必要に応じて画像データのデータ変換処理を行うことができ、出力部５４は、画像音声処理部５３より供給される画像や音声を出力する処理を行うことができる。
【０１７８】
ステップＳ７７の処理を終了すると、主制御部１３１は、処理をステップＳ７８に進める。また、ステップＳ７４において、読み出される画像データに対応するレート情報の値が変化していないと判定した場合、主制御部１３１は、ステップＳ７５乃至ステップＳ７７の処理を省略し、ステップＳ７８に処理を進める。
【０１７９】
ステップＳ７８において、主制御部１３１は、入力部１３４を制御して、再生出力終了指示を受け付けたか否かを判定し、受け付けたと判定した場合は、ステップＳ７９に処理を進め、再生処理、画像音声処理、出力処理を終了させ、ステップＳ８０に処理を進める。また、ステップＳ７８において、再生出力終了指示を受け付けてないと判定した場合、主制御部１３１は、ステップＳ７９の処理を省略し、ステップＳ８０に処理を進める。
【０１８０】
ステップＳ８０およびステップＳ８１の処理は、上述した場合と同様であるので、その説明を省略する。
【０１８１】
以上のように、主制御部１３１が再生出力制御処理を実行することにより、再生出力装置１２の各部は、光ディスク１３に記録されたレート情報に基づいて、より効果的な、再生処理、画像音声処理、出力処理等を行うことができる。
【０１８２】
次に、以上のように制御されて実行されるレート情報判定部５５による判定処理について、図１６のフローチャートを参照して説明する。
【０１８３】
ピックアップ部１４１よりレート情報が供給され、主制御部１３１より判定処理の開始を指示されると、レート情報判定部５５は、判定処理を開始し、ステップＳ１０１において、レート情報を参照し、フォーマットレートを判定し、ステップＳ１０２において、レート情報を参照し、方式モードや速度モードを判定し、ステップＳ１０３において、方式モードの判定結果に基づいて、データ変換部１５２におけるデータ変換の有無を判定する。
【０１８４】
そして、レート情報判定部５５は、ステップＳ１０４において、それらの判定結果を、レート情報とともに主制御部１３１に出力し、判定処理を終了する。
【０１８５】
以上のように判定処理を行うことにより、再生出力装置１２は、光ディスク１３に記録されたレート情報を表示し、ユーザに提示したり、撮像記録装置１１が指定したフォーマットレートで通常再生を行ったり、再生したデータを必要に応じてデータ変換したりすることができる。すなわち、再生出力装置１２は、光ディスク１３に記録されたレート情報に基づいて、より効果的な、再生処理、画像音声処理、出力処理等を行うことができる。
【０１８６】
図１７に示されるレート情報と撮像記録モードとの関係を用いて、以上のステップＳ１０２およびステップＳ１０３における判定処理の具体的な例について説明する。
【０１８７】
図１７に示されるテーブル２５１は、フォーマットレート、レックレート、およびキャプチャレートの設定に対応する撮像記録モードの一覧を表す。
【０１８８】
レート情報判定部５５は、フォーマットレートとキャプチャレートの方式モードを比較することにより、図４の方式モードを判定することができる。例えば、レート情報判定部５５は、フォーマットレートが「５０ｉ」のようにインターレース方式であり、キャプチャレートがインターレース方式である場合（例えば、テーブル２５１の上から１行目乃至４行目の場合）、撮像して得られたインターレース方式の画像データを、そのままの方式で記録するので、図４の方式モードがインターレースモードであると判定する。また、例えば、レート情報判定部５５は、フォーマットレートが「５０ｉ」や「６０ｉ」のようにインターレース方式であり、キャプチャレートがプログレッシブ方式である場合（例えば、テーブル２５１の上から５行目乃至８行目、および１３行目乃至１６行目の場合）、撮像して得られたプログレッシブ方式の画像データを、インターレース方式に変換して記録するので、図４の方式モードがPSF方式モードか、またはプルダウン方式モードであると判定する。また、例えば、レート情報判定部５５は、フォーマットレートが「２５ｐ」のようにプログレッシブ方式であり、キャプチャレートもプログレッシブ方式である場合（例えば、テーブル２５１の上から９行目乃至１２行目の場合）、撮像して得られたプログレッシブ方式の画像データを、そのままの方式で記録するので、図４の方式モードがプログレッシブモードであると判定する。
【０１８９】
また、インターレースモードの場合、レート情報判定部５５は、フォーマットレートのフィールドレートと、レックレートのフィールドレートを比較することにより、図４の速度モードを判定することができる。例えば、レート情報判定部５５は、フォーマットレートとレックレートがともに「５０ｉ」である場合、（例えば、テーブル２５１の上から１行目の場合）、フォーマットレートとレックレートが等しいので、速度モードが通常速度モードであると判定する。また、例えば、レート情報判定部５５は、フォーマットレートが「５０ｉ」であり、レックレートが「１００ｉ」である場合（例えば、テーブル２５１の上から２行目の場合）、レックレートの方がフォーマットレートよりレートが高いので、速度モードが高速度モードであると判定する。さらに、例えば、レート情報判定部５５は、フォーマットレートが「５０ｉ」であり、レックレートが「２５ｉ」である場合（例えば、テーブル２５１の上から３行目の場合）、レックレートの方がフォーマットレートよりレートが低いので、速度モードが低速度モードであると判定する。また、速度モードがレートで指定される場合、フォーマットレートが「５０ｉ」であり、レックレートが「Ｎｉ」であるとすると（例えば、テーブル２５１の上から４行目の場合）、レックレートがフォーマットレートの「Ｎ／５０」倍のレートであるので、速度モードは、「Ｎ／５０」倍速モードとなる。
【０１９０】
方式モードがプログレッシブモードの場合、レート情報判定部５５は、フォーマットレートのフレームレートと、レックレートのフレームレートを比較することにより、インターレースモードの場合と同様に、図４の速度モードを判定することができる。例えば、レート情報判定部５５は、フォーマットレートとレックレートがともに「２５ｐ」である場合、（例えば、テーブル２５１の上から９行目の場合）、速度モードが通常速度モードであると判定し、フォーマットレートが「２５ｐ」であり、レックレートが「５０ｐ」である場合、（例えば、テーブル２５１の上から１０行目の場合）、速度モードが高速度モードであると判定し、フォーマットレートが「２５ｐ」であり、レックレートが「１２．５ｐ」である場合、（例えば、テーブル２５１の上から１１行目の場合）、速度モードが低速度モードであると判定する。また、速度モードがレートで指定される場合、フォーマットレートが「２５ｐ」であり、レックレートが「Ｎｐ」であるとすると、速度モードは、「Ｎ／２５」倍速モードとなる。
【０１９１】
また、レート情報判定部５５は、レックレートのフィールドレートとキャプチャレートのフレームレートを比較することにより、図４の方式モードがPSF方式モードであるか、プルダウン方式モードであるかを判定することができる。例えば、レート情報判定部５５は、レックレートが「５０ｉ」であり、キャプチャレートが「２５ｐ」である場合、（例えば、テーブル２５１の上から５行目の場合）、レックレートのフィールドレートと、キャプチャレートのフレームレートが対応している（レート比が２：１である）ので、方式モードがPSF方式モードであると判定する。なお、レックレートが「１００ｉ」であり、キャプチャレートが「５０ｐ」である場合も、レックレートが「２５ｉ」であり、キャプチャレートが「１２．５ｐ」である場合（例えば、テーブル２５１の上から６行目および７行目の場合）も同様に、レート情報判定部５５は、方式モードがPSF方式モードであると判定する。もちろん、速度モードがレートで指定される場合であっても、レックレートのフィールドレートが「２Ｎｉ」であり、キャプチャレートのフレームレートが「Ｎｐ」である場合（例えば、テーブル２５１の上から８行目の場合）、すなわち、レックレートのフィールドレートがキャプチャレートのフレームレートの２倍である場合、レート情報判定部５５は、方式モードがPSF方式モードであると判定する。
【０１９２】
逆に、レックレートのフィールドレートと、キャプチャレートのフレームレートが対応していない（レート比が２：１でない）場合（例えば、テーブル２５１の上から１３行目乃至１６行目の場合）は、レート情報判定部５５は、方式モードがプルダウン方式モードであると判定する。また、レックレートとキャプチャレートの比から、プルダウンの比率を算出することも可能である。
【０１９３】
また、方式モードがPSF方式モードである場合も、プルダウン方式モードである場合も、インターレースモードやプログレッシブモードの場合と同様に、レート情報判定部５５は、フォーマットレートとレックレートを比較することにより、図４の速度モードを判定することができる。なお、速度モードがレートで指定される場合、方式モードがPSF方式モードであり、フォーマットレートが「５０ｉ」であり、レックレートが「２Ｎｉ」であるとすると（例えば、テーブル２５１の上から８行目の場合）、速度モードは、「Ｎ／２５」倍速モードとなる。また、速度モードがレートで指定される場合、方式モードがプルダウン方式モードであり、フォーマットレートが「６０ｉ」であり、レックレートが「Ｒｉ」であるとすると（例えば、テーブル２５１の上から１６行目の場合）、速度モードは、「Ｒ／６０」倍速モードとなる。
【０１９４】
レート情報判定部５５は、図１６のステップＳ１０２の処理において、以上のように方式モードおよび速度モードを判定する。そして、レート情報判定部５５は、ステップＳ１０３において、以上のように判定された方式モードがPSF方式モードである場合、データ変換部１５２においてデータ変換処理を行うように判定する。
【０１９５】
なお、以上においては、レート情報判定部５５が、予め定められた所定の条件に基づいて、レート情報から方式モードや速度モードを判定するように説明したが、処理を簡略化するために、予め、図１７に示されるようなテーブル２５１を保持しておき、このテーブル２５１を参照して、レート情報が全て該当する撮像記録モードを判定するようにしてもよい。
【０１９６】
また、以上の判定処理は、レート情報の変化点の度に主制御部１３１により制御されて実行される。
【０１９７】
次に、信号処理部１５１の出力情報作成部１５３によるレート情報表示制御処理について図１８のフローチャートを参照して説明する。
【０１９８】
主制御部１３１により、レート情報およびレート情報の表示設定が供給され、レート情報の表示制御処理の開始を指示されると、出力情報作成部１５３は、ステップＳ１２１において、供給されたレート情報の表示設定に基づいて、レート情報を表示するか否かを判定する。レート情報を表示すると判定した場合、出力情報作成部１５３は、ステップＳ１２２に処理を進め、レート情報の表示用画像が既に存在するか否かを判定する。表示用画像が存在しないと判定した場合、出力情報作成部１５３は、ステップＳ１２３に処理を進め、供給されたレート情報に基づいてレート情報の表示用画像を作成してステップＳ１２６に処理を進める。ステップＳ１２２において、レート情報の表示用画像を以前に作成して保持しており、既に存在すると判定した場合、出力情報作成部１５３は、ステップＳ１２３の処理を省略し、ステップＳ１２６に処理を進める。
【０１９９】
また、ステップＳ１２１において、レート情報を表示しないと判定した場合、出力情報作成部１５３は、ステップＳ１２４に処理を進め、レート情報の表示用画像が既に存在するか否かを判定する。以前に作成して保持しており、表示用画像が存在すると判定した場合、出力情報作成部１５３は、ステップＳ１２５に処理を進め、保持しているレート情報の表示用画像を消去してステップＳ１２６に処理を進める。また、ステップＳ１２４において、レート情報の表示用画像が存在しないと判定した場合、出力情報作成部１５３は、ステップＳ１２５の処理を省略し、ステップＳ１２６に処理を進める。
【０２００】
ステップＳ１２６において、出力情報作成部１５３は、ステップＳ１２６において、光ディスク１３より読み出された画像データを取得したか否かを判定し、取得したと判定した場合、ステップＳ１２７においてレート情報の表示用画像が存在するか否かを判定し、存在すると判定した場合、ステップＳ１２８においてレート情報の表示用画像を画像データに合成し、ステップＳ１２９に処理を進める。ステップＳ１２７において、レート情報の表示用画像が存在しないと判定した場合、出力情報作成部１５３は、ステップＳ１２８の処理を省略し、ステップＳ１２９に処理を進める。
【０２０１】
ステップＳ１２９において、出力情報作成部１５３は、画像データを出力し、ステップＳ１３０に処理を進める。また、ステップＳ１２６において、画像データを取得していないと判定した場合、出力情報作成部１５３は、ステップＳ１２７乃至ステップＳ１２９の処理を省略し、ステップＳ１３０に処理を進める。ステップＳ１３０において、出力情報作成部１５３は、レート情報表示制御処理を終了するか否かを判定し、終了しないと判定した場合、処理をステップＳ１２１に戻し、それ以降の処理を繰り返す。また、ステップＳ１３０において、レート情報表示制御処理を終了すると判定した場合、出力情報作成部１５３は、ステップＳ１３１に処理を進め、終了処理を行った後、レート情報表示制御処理を終了する。
【０２０２】
以上のようにして、出力情報作成部１５３は、レート情報表示制御処理を実行する。このようにすることにより、再生出力装置１２は、光ディスク１３に記録されたレート情報を表示し、ユーザに提示することができる。すなわち、再生出力装置１２は、光ディスク１３に記録されたレート情報に基づいて、より効果的な、再生処理、画像音声処理、出力処理等を行うことができる。
【０２０３】
なお、レート情報の代わりに、レート情報判定部５５において判定される撮像記録モードを表示するようにしてもよい。その場合も、上述したレート情報を表示する場合と同様の処理が実行される。このようにすることにより、例えば、図１７のテーブル２５１において、フォーマットレート、レックレート、およびキャプチャレートのレート情報に対応する撮像記録モードがモニタに表示される。つまり、レート情報も撮像記録モードも同じ物を示すので、いずれを表示しても意味合いは変化しないが、ユーザが理解しやすい方を表示する方が望ましい。もちろん、それらの両方を表示するようにしてもよいし、表示するものをユーザが選択することができるようにしてもよい。
【０２０４】
次に、信号処理部１５１のデータ変換部１５２によるデータ変換処理について図１９のフローチャートを参照して説明する。
【０２０５】
データ変換部１５２は、ステップＳ１５１において、データ変換の設定に関する情報を取得したか否かを判定し、取得したと判定した場合、ステップＳ１５２に処理を進め、保持しているデータ変換の設定を更新し、ステップＳ１５３に処理を進める。なお、ステップＳ１５１においてデータ変換の設定に関する情報を取得していないと判定した場合、データ変換部１５２は、ステップＳ１５２の処理を省略し、ステップＳ１５３に処理を進める。
【０２０６】
ステップＳ１５３において、データ変換部１５２は、光ディスク１３より再生された画像データを取得したか否かを判定し、取得したと判定した場合、ステップＳ１５４に処理を進め、データ変換の設定に基づいて、取得した画像データを変換するか否かを判定し、変換すると判定した場合、ステップＳ１５５においてデータ変換の設定に基づいて画像データを変換し、ステップＳ１５６に処理を進める。また、ステップＳ１５４において、画像データを変換しないと判定した場合、データ変換部１５２は、ステップＳ１５５の処理を省略し、ステップＳ１５６に処理を進める。
【０２０７】
ステップＳ１５６において、データ変換部１５２は、画像データを出力する。画像データを出力したデータ変換部１５２は、ステップＳ１５７に処理を進める。また、ステップＳ１５３において、画像データを取得していないと判定した場合、データ変換部１５２は、ステップＳ１５４乃至ステップＳ１５６の処理を省略し、ステップＳ１５７に処理を進める。
【０２０８】
ステップＳ１５７において、データ変換部１５２は、データ変換処理を終了するか否かを判定し、終了しないと判定した場合、ステップＳ１５１に処理を戻し、それ以降の処理を繰り返す。また、ステップＳ１５７において、終了すると判定した場合、データ変換部１５２は、ステップＳ１５８において終了処理を行った後、データ変換処理を終了する。
【０２０９】
以上のようにして、データ変換部１５２は、データ変換処理を実行する。このようにすることにより、再生出力装置１２は、光ディスク１３に記録された画像データを再生し、必要に応じて方式を変換して出力することができる。すなわち、再生出力装置１２は、光ディスク１３に記録されたレート情報に基づいて、より効果的な、再生処理、画像音声処理、出力処理等を行うことができる。
【０２１０】
なお、図１の記録再生システムにおいては、画像データや音声データが、記録媒体である光ディスク１３を介して、撮像記録装置１１から再生出力装置１２に供給するように説明したが、記録媒体としては、光ディスクに限らず、例えば、磁気ディスクや磁気テープ等の磁気記録媒体、光磁気ディスク、または、フラッシュメモリやRAM等の半導体メモリ等、どのようなものであってもよい。また、画像データや音声データが記録されることなく他の装置に伝送されるようにしてもよい。その場合、以下（例えば、図２０）に示すように、送信側のバッファと受信側のバッファ間を記録媒体と同等とすることにより、レックレートを、上述した場合と同様に定義することができる。
【０２１１】
図２０は、本発明を適用した通信システムの例を示す図である。
【０２１２】
図２０において、通信システム３０１は、撮像装置３１１および出力装置３１２よりなるシステムである。撮像装置３１１は、図１の撮像記録装置１１の記録部２３の代わりに通信部３２３が設けられた装置であり、ネットワーク３１３を介して出力装置３１２に接続されている。記録装置３１２は、図１の再生出力装置１２の再生部５２の代わりに通信部３５２が設けられた装置であり、ネットワーク３１３を介して撮像装置３１１に接続されている。
【０２１３】
撮像装置３１１の通信部３２３、および、出力装置３１２の通信部３５２は、それぞれ、例えばRAM等により構成されるバッファ３２３Ａまたはバッファ３５２Ａを内蔵している。撮像装置３１１の通信部３２３は、撮像部２２より供給される画像データや音声データ、並びに、レート情報作成部より供給されるレート情報等をバッファ３２３Ａに一時的に保持（記録）し、所定の通信レートでそれらの情報を出力装置３１２に送信する。撮像装置３１１より送信されたデータは、ネットワーク３１３を介して出力装置３１２に供給される。出力装置３１２の通信部３５２は、供給されたデータを受信し、内蔵するバッファ３５２Ａに一時的に保持（記録）し、制御部５１に制御されて、そのデータを（読み出して）所定のレートで画像音声処理部５３やレート情報判定部５５に供給する。
【０２１４】
すなわち、通信システム３０１において、撮像装置３１１の通信部３２３のバッファ３２３Ａと、出力装置３１２の通信部３５２のバッファ３５２Ａとの区間の伝送媒体を、図１のシステムの場合の記録媒体（光ディスク１３）と同等とみなすことにより、図１の記録再生システムと同様の処理を実現することができる。つまり、図２０の通信システム３０１のの場合、キャプチャレート４１は、図１の場合と同様に、撮像装置３１１の撮像部２２における画像の取り込み時（コンテンツデータの生成時）のデータレート（すなわち、光電変換処理により得られた画像データのフレームレートまたはフィールドレート）を示し、レックレート４２は、通信部３２３のバッファ３２３Ａに保持させる（記録する）際の画像データのデータレート（コンテンツデータの送信時のデータレート）を示し（通信速度を示す送信レートではない）、フォーマットレート４３は、出力装置３１２の通信部３５２がバッファ３５２Ａに保持された（記録された）画像データを読み出し、画像音声処理部５３に供給する際の画像データのデータレート（フレームレートまたはフィールドレート。すなわち、コンテンツデータの通常再生時のデータレート）を示す。もちろん、音声データについても同様である。
【０２１５】
従って、この通信システム３０１においても、撮像装置３１１は、画像データや音声データの他に、それらのデータに関するキャプチャレート、レックレート、およびフィールドレートの情報を出力装置３１２に供給する。これにより、通信システム３０１において、撮像装置３１１は、出力装置３１２に、より効果的な、再生処理、画像音声処理、出力処理等を実行させることができ、出力装置３１２は、撮像装置３１１より伝送されるレート情報に基づいて、より効果的な、再生処理、画像音声処理、出力処理等を実行することができる。
【０２１６】
図２１に本発明を適用したシステムの具体的な例を示す。
【０２１７】
図２１において、映像プログラム制作支援システム４０１は、例えば、テレビジョン信号を放送するテレビジョン放送局や、ビデオや映画等の映像コンテンツの製作会社等において設けられるシステムであり、テレビジョン番組や映画等の映像作品である映像プログラムを制作するためのシステムである。この映像プログラム制作支援システム４０１は、映像プログラムの制作を分担する複数の部署間で、電子ファイル形式で構成される、映像プログラムに付加されたメタデータ等を一貫して利用できるようにし、映像プログラムを効率よく作成するためのシステムである。
【０２１８】
映像プログラム制作支援システム４０１は、図２１に示されるように、映像プログラムの企画を行う企画用端末装置４１１、企画用端末装置４１１が接続されたネットワーク４１２、ネットワーク４１２に接続された取材用端末装置４１３、取材用端末装置４１３を構成する撮像装置４１４およびフィールドPC／PDA（Personal Computer/Personal Digital Assistants）４１５（以下、フィールドPC４１５と称する）、同様に、ネットワーク４１２に接続される編集用端末装置４１６、並びに、記録媒体である光ディスク４１７により構成される。
【０２１９】
企画用端末装置４１１は、例えば、パーソナルコンピュータ等の情報処理装置およびその周辺装置等により構成され、映像プログラムの企画が行われる企画構成部署等に設けられる。この企画構成部署は、映像プログラムの制作全体を統括する部署であり、制作する映像プログラムの企画および構想を行って、映像プログラムのシナリオ（筋書き）を作成するとともに、後述する取材部署および編集部署等の他部署に制作作業内容を指示する部署である。企画用端末装置４１０は、例えば、映像プログラムのシナリオに対応する政策指示情報等を含む、電子ファイル形式の構成表メタデータを映像プログラム毎に作成する等の処理を行う。企画用端末装置４１１は、生成した構成表メタデータを、ネットワーク４１２を介して取材用端末装置４１３等に供給する。これにより、企画構成部署は、取材部署等に対して、取材または撮影すべき場面や内容の指示を行う。
【０２２０】
取材用端末装置４１３は、取材を行う取材部署によって用いられる端末装置群であり、例えば、撮像装置４１４とフィールドPC４１５により構成される。この取材部署は、例えば、企画構成部署からの制作指示やシナリオに従って、製作現場で実際に取材を行う部署であり、映像プログラムを構成する各場面の映像を撮影するとともに、撮影状況を取材する部署である。
【０２２１】
撮像装置４１４は、例えば、カムコーダ（登録商標）等のビデオカメラであり、放送用のニュース番組の取材や、スポーツ等の試合の模様、映画などの映像コンテンツの撮影に使用される装置である。この撮像装置４１４は、ネットワーク４１２に接続されており、例えば、上述した企画用端末装置４１１から、ネットワーク４１２を介して構成表メタデータを取得する。そして、撮像装置４１４は、その取得した構成表メタデータを所定の表示部等に表示し、カメラマン等の撮影スタッフに撮影すべき内容を認識させる。また、撮像装置４１４は、撮影スタッフに操作され、取得した構成表メタデータの制作指示情報に基づいて、映像プログラムを構成する各場面の撮影を行う。そして、撮影により得られた画像データや音声データを光ディスク４１７等の記録媒体に記録する。
【０２２２】
また、撮像装置４１４は、例えば、撮像により得られた画像データであるオリジナルの画像データだけでなく、ローレゾリューション（low resolution：低解像度）画像データ（以下、ローレゾデータと称する）を光ディスク４１７に記録することができる。オリジナルの画像データは、データ量が大きいが、高画質な画像データであるので、映像プログラムの完成品に用いられる。一方、ローレゾデータは、オリジナルの画像データから各フレームの画素数が間引かれること等によって生成された、画素数の少ないフレームの画像に対応する画像データである。また、ローレゾデータは、さらに、例えば、MPEG4方式等でエンコードされているようにしてもよい。このローレゾデータは、オリジナルの画像データと比較して低画質であるが、データ量が小さいので、送信や再生など処理の負荷が軽く、主に粗編集処理等に利用される。
【０２２３】
さらに、撮像装置４１４は、図１に示される撮像記録装置１１のように、撮像時に設定されたキャプチャレート、レックレートおよびフォーマットレート等のレート情報を光ディスク４１７に記録する。
【０２２４】
撮像装置４１４により、画像データや音声データ等を記録された光ディスク４１７は、例えば、後述する編集部署やフィールドPC４１５等に搬送され、利用される。しかしながら、光ディスク４１７の搬送にはある程度の時間を要するため、撮像装置４１４は、ネットワーク４１２を介して、企画用端末装置４１１、フィールドPC４１５、または編集端末装置４１６等に、映像コンテンツを供給できるようにしてもよい。その場合、撮像装置４１４は、転送時間を短縮するために（転送処理の負荷を軽減するために）、撮像により得られた画像データの代わりに、その画像データに対応する、データ量の小さいローレゾデータを供給するようにするのが望ましい。
【０２２５】
この場合、撮像装置４１４は、図２１に示される撮像装置３１１のように、キャプチャレート、レックレート、およびフォーマットレート等のレート情報を、ネットワーク４１２を介して、映像コンテンツ等の送信先である企画用端末装置４１１、フィールドPC４１５、または編集端末装置４１６等に伝送するようにしてもよい。
【０２２６】
なお、撮像装置４１４によるローレゾデータの転送処理は、どのようなタイミングで行うようにしてもよく、撮像処理と並行して行うようにしてもよいし、撮像処理の終了後に一括して行うようにしてもよい。また、キャプチャレート、レックレート、およびフォーマットレート等のレート情報の転送処理のタイミングもどのようなタイミングであっても構わないが、レート情報が対応する画像データとともに、または、それよりも先に伝送されるのが望ましい。
【０２２７】
このように、光ディスク４１７の搬送に先駆けて、ローレゾデータを転送することにより、編集部署は、搬送された光ディスク４１７が到着していなくても、比較的早い段階で（例えば、撮像処理と同時並行して）、編集作業を行うことができるので、映像プログラムの制作効率を高めることができる。なお、上述のように、ローレゾデータがネットワーク４１２を介して伝送される場合、撮像装置４１４は、たとえば、オリジナルの画像データや音声データのみを光ディスク４１７に記録するようにしてもよい（ローレゾデータを光ディスク４１７に記録しないようにしてもよい）。
【０２２８】
なお、撮像装置４１４が映像コンテンツ等を記録する記録媒体としては、上述した光ディスク４１７の例に限定されず、どのような記録媒体であってもよい。例えば、MD（Mini-Disc）（登録商標）やMO（Magneto Optical disk）を含む光磁気ディスク、フレキシブルディスクを含む磁気ディスク、DV(Digital Video)やVHS（Video Home System）に用いられる磁気テープ、フラッシュメモリ等を含む半導体メモリ等であってもよい。
【０２２９】
フィールドPC４１５は、例えば、ノート型パーソナルコンピュータやPDA等の携帯可能な情報処理装置および周辺装置などで構成される。このフィールドPC４１５は、撮像装置４１４と各種の有線または無線回線等により接続されており、例えば、構成表メタデータや映像コンテンツなどを撮像装置４１４と共有することができる。
【０２３０】
このフィールドPC４１５は、例えば、ネットワーク４１２を介して、企画用端末装置４１０から構成表メタデータを取得したり、撮像装置４１４から構成表メタデータを取得したりする。フィールドPC４１５は、取得した構成表メタデータを所定の表示部に表示し、取材部署担当者に取材、撮影すべき内容を認識させる。
【０２３１】
さらに、フィールドPC４１５は、ユーザである取材部署担当者の入力に基づいて、取材・撮影状況に関する情報である撮影状況情報を生成し、生成した撮影状況情報を構成表メタデータ内の該当欄に追加する。この撮影状況情報は、例えば、テイクごとや取材場所ごとに多様な観点で記載されたテキストデータ等であり、後段の編集処理時に有用となる情報である。このように、フィールドPC４１５は、撮影状況情報を書き込むことにより、構成表メタデータを編集する。また、フィールドPC４１５は、撮影状況情報をメタデータとして撮像装置１４に供給し、撮像装置１４において得られた画像データや音声データに付加させる。
【０２３２】
編集用端末装置４１６は、例えば、パーソナルコンピュータ等の情報処理装置および周辺装置により構成され、映像コンテンツの編集処理を行う編集部署に設けられる。編集部署は、企画構成部署による制作指示やシナリオ、取材部署における取材状況を反映した構成表メタデータ等に基づいて、撮像装置４１４により得られた画像データや音声データを編集し、映像プログラムを完成させる部署である。
【０２３３】
編集用端末装置４１６は、例えば、撮像装置４１４から、ネットワーク４１２を介して、構成表メタデータやローレゾデータを取得する。また、編集用端末装置４１６は、撮像装置４１４において画像データや音声データが記録された光ディスク４１７より、オリジナルの画像データや音声データを取得する。さらに、編集用端末装置４１６は、企画用端末装置４１１またはフィールドPC４１５等より、ネットワーク４１２を介して、直接制作指示（編集に関する指示）を取得することも可能である。また、編集用端末装置４１６は、以上のデータとともに、レート情報を取得し、画像データや音声データの再生の際にそれらの情報を、上述した再生出力装置１２の場合と同様に利用し、より効果的な再生処理や出力処理を行う。例えば、編集用端末装置４１６は、モニタに再生された画像とともにレート情報の表示用画像を表示させ、ユーザに提示することにより、ユーザによる編集処理の補助となる情報を提供することができる。また、例えば、画像データがPSF方式モードの場合、プログレッシブ方式の画像データに変換してから出力するようにすることにより、最適な出力画像をユーザに提供することができる。
【０２３４】
編集用端末装置４１６は、以上のように取得した構成表メタデータに基づいて、取得した映像コンテンツデータを好適に再生して表示する。例えば、編集用端末装置４１６は、ユーザに操作され、ネットワーク４１２を介して取得したローレゾデータや、光ディスク４１７に記録されているオリジナルの画像データや音声データを、シナリオに従った順序で連続的に表示したり、所望のクリップの画像データのみを表示したりする。なお、光ディスク４１７に記録されているオリジナルの画像データを再生する場合、編集用端末装置４１６は、例えば、光ディスク４１７に記録されているデータを読み出したり、光ディスク４１７にデータを書き込んだりする記録再生装置であるディスク装置等を利用する。
【０２３５】
また、編集用端末装置４１６は、例えば、構成表メタデータに基づいて必要な画像データ等を好適な順序で再生し、表示するだけでなく、取材により得られた画像データ等の編集処理を行う。この編集処理としては、粗編集処理と本編集処理がある。
【０２３６】
粗編集処理は、画像データや音声データに対する簡易的な編集処理である。例えば、編集用端末装置４１６は、粗編集処理において、例えば、１回の撮像処理を示す単位であるクリップに対応する、画像データや音声データ等を含む映像コンテンツに関するデータ（以下、クリップデータと称する）を複数取得した場合に、それらのクリップデータの中から、本編集で使用すべきクリップデータを選択し、選択されたクリップデータの中から、さらに必要な映像部分を選択（Logging）し、その選択された映像部分に対応する編集開始位置（In点）および編集終了位置（Out点）を例えば、タイムコード等を利用して設定し、上述したクリップデータの中から、対応する部分を抽出（Ingesting）する。
【０２３７】
なお、クリップは、1回の撮像処理だけでなく、その撮像処理の撮像開始から撮像終了までの時間を示す単位でもあり、その撮像処理により得られた各種のデータの長さを示す単位でもあり、その撮像処理により得られた各種のデータのデータ量を示す単位でもある。さらに、クリップは、その各種のデータの集合体そのものも示す場合もある。
【０２３８】
本編集処理は、粗編集処理が施された各クリップデータを繋ぎ合わせ、その画像データに対して、最終的な画質調整等を行い、番組などで放送するためのデータである完全パッケージデータを作成する処理である。
【０２３９】
なお、上述した企画用端末装置４１１、撮像装置４１４、フィールドPC４１５、編集用端末装置４１６等の各装置は、それぞれ、複数台により構成されるようにしてもよい。例えば、複数台の撮像装置４１４において得られた画像データ等を、１台の編集用端末装置４１６が光ディスク４１７やネットワーク４１２を介して取得し、そのデータに対して編集処理を行うようにしてもよいし、１台の撮像装置４１４より供給されたデータが、複数台の編集用端末装置４１６により編集されるようにしてもよい。
【０２４０】
逆に、上述した企画用端末装置４１１、撮像装置４１４、フィールドPC４１５、および編集用端末装置４１６等の各装置は、それぞれ、別体として構成されるように説明したが、これに限らず、各装置の機能の一部または全部が互いに一体化して構成されるようにしてもよい。
【０２４１】
また、映像プログラム制作支援システム４０１は、例えば、上述した企画用端末装置４１１、撮像装置４１４、フィールドPC４１５、および編集用端末装置４１６とは別に、ネットワーク４１２に接続されたセンタサーバ（図示せず）を設け、企画用端末装置４１１、撮像装置４１４、フィールドPC４１５、および編集用端末装置４１６等をクライアントとした、クライアント/サーバ（Client/Server）システムとして構成するようにしてもよい。
【０２４２】
以上のように、本発明は、テレビジョン番組等の映像プログラム制作支援システム等に適用することも可能である。
【０２４３】
また、図１の撮像記録装置１１の各部や、再生出力装置１２の各部がそれぞれ別体として構成されるようにし、撮像記録装置１１を、複数の装置で構成される撮像記録システムとし、再生出力装置１２を、複数の装置で構成される再生出力システムとするようにしてもよい。
【０２４４】
図２２は、本発明を適用した記録再生システムの他の例を示す図である。
【０２４５】
図２２において、記録再生システム５０１は、被写体を撮像し、得られた画像データや音声データ等を記録媒体に記録する側の撮像記録システム５１１と、記録媒体に記録された画像データや音声データ等を再生して出力する側の再生出力システム５１２との２つのシステムにより構成される。
【０２４６】
撮像記録システム５１１は、図１の撮像記録装置１１に対応し、被写体を撮像する撮像装置５２１、撮像装置５２１において得られた画像データや音声データ等を光ディスク１３に記録する記録装置５２２、並びに、撮像装置５２１および記録装置５２２におけるレート情報を作成するレート情報作成装置５２３により構成される。
【０２４７】
撮像装置５２１は、撮像装置５２１の各部を制御する主制御部５３１と、被写体を撮像する撮像部５３２を有し、図２に示される撮像記録装置１１の撮像部２２に対応し、装置として独立するために主制御部５３１等を有すること以外は、基本的に、撮像部２２と同様の構成であり、撮像部２２と同様の処理を行う。記録装置５２２は、記録装置５２２の各部を制御する主制御部５３３と、被写体を撮像する撮像部５３４を有し、図２に示される撮像記録装置１１の記録部２３に対応し、装置として独立するために主制御部５３３等を有すること以外は、基本的に、記録部２３と同様の構成であり、記録部２３と同様の処理を行う。レート情報作成装置５２３は、レート情報を作成する処理を行うレート情報作成部５３５を有し、図２に示される撮像記録装置１１のレート情報作成部２４に対応する装置である。
【０２４８】
撮像記録システム５１１においては、撮像装置５２１を操作するユーザが入力撮像記録モード指示を撮像装置５２１に入力し、撮像装置５２１がその指示と、保持している装置情報とに基づいて撮像記録モードを決定する。その撮像記録モードに関する情報は、撮像装置５２１および記録装置５２２の動作制御に用いられるだけでなく、レート情報作成装置５２３に供給される。レート情報作成装置５２３は、それらの情報に基づいて、レート情報を作成し、記録装置５２２に供給する。記録装置５２２は、供給されたレート情報を、光ディスク１３にレート情報５１３として記録する。
【０２４９】
再生出力システム５１２は、図１の再生出力装置１２に対応し、光ディスク１３に記録された画像データや音声データ等を読み出して再生する再生装置５７１、再生装置５７１において再生された画像データや音声データ等に対して所定の処理を施す画像音声処理装置５７２、画像音声処理装置５７２において処理された画像データや音声データを出力する出力装置５７３、並びに、再生装置５７１が読み出した、光ディスク１３に記録されているレート情報５１３に基づいて各種の判定処理を行うレート情報判定装置５７４により構成される。
【０２５０】
再生装置５７１は、再生装置５７１の各部を制御する主制御部５８１と、再生処理を行う再生部５８２を有し、図３に示される再生出力装置１２の再生部５２に対応し、装置として独立するために主制御部５８１等を有すること以外は、基本的に、再生部５２と同様の構成であり、再生部５２と同様の処理を行う。画像音声処理装置５７２は、画像音声処理を行う信号処理部５８３を有し、図３に示される再生出力装置１２の画像音声処理部５３に対応し、基本的に、画像音声処理部５３と同様の構成であり、画像音声処理部５３と同様の処理を行う。また信号処理部５８３は、図３の信号処理部１５１と同様に、エー他変換部５８４および出力情報作成部５８５を有している。出力装置５７３は、出力装置５７３の各部を制御する主制御部５８６と、出力処理を行う出力部５８７を有し、図３に示される再生出力装置１２の出力部５４に対応し、基本的に、出力部５４と同様の構成であり、出力部５４と同様の処理を行う。レート情報判定装置５７４は、再生装置５７１において読み出されたレート情報に基づいて各種のモード等を判定するレート情報判定部５８８を有し、判定結果やレート情報等を画像音声処理装置５７２に供給する。
【０２５１】
再生出力システム５１２においては、光ディスク１３を図示せぬドライブに装着された再生装置５７１が記録媒体に記録されているレート情報５１３を読み出し、レート情報判定装置５７４に供給する。レート情報判定装置５７４は、その情報に基づいて、再生処理や出力処理のモード等の判定を行い、再生や出力に関する設定情報を画像音声処理部５７２に供給する。画像音声処理装置５７２は、その設定に基づいて画像データや音声データに処理を行い、出力装置５７３より出力される。
【０２５２】
図２３は、図２２の撮像記録システム５１１に含まれる、レート情報作成装置５２３の詳細な構成例を示すブロック図である。
【０２５３】
図２３において、レート情報作成装置５２３のCPU（Central Processing Unit）６０１は、ROM６０２に記憶されているプログラムに従って各種の処理を実行する。RAM６０３には、CPU６０１が各種の処理を実行する上において必要なデータやプログラムなどが適宜記憶される。
【０２５４】
CPU６０１、ROM６０２、およびRAM６０３は、バス６０４を介して相互に接続されている。このバス６０４には、また、レート情報作成部５３５も接続されている。レート情報作成部５３５は、図１および図２を参照して説明した撮像記録装置１１のレート情報作成部２４と同様の構成であり、同様の処理を実行し、キャプチャレート、レックレート、およびフォーマットレート等のレート情報を作成する。
【０２５５】
このバス６０４にはまた、入出力インタフェース６１０も接続されている。
【０２５６】
入出力インタフェース６１０は、キーボードやマウスから構成される入力部６１１が接続され、入力部６１１に入力された信号をCPU６０１に出力する。また、入出力インタフェース６１０には、ディスプレイやスピーカなどから構成される出力部６１２も接続されている。
【０２５７】
さらに、入出力インタフェース６１０には、ハードディスクなどから構成される記憶部６１３、および、撮像装置５２１や記録装置５２２と、レート情報等の、データの通信を行う通信部６１４も接続されている。ドライブ６１５は、磁気ディスク、光ディスク、光磁気ディスク、または半導体メモリなどの記録媒体からなるリムーバブルメディア６１６よりデータを読み出したり、データを書き込んだりするときに用いられる。
【０２５８】
撮像装置５２１より装置情報や入力撮像記録モード指示等の情報が通信部６１４を介して供給されると、CPU６０１は、各部を制御し、それらの情報をレート情報作成部５３５に供給させる。レート情報作成部５３５は、図１３のフローチャートを参照して説明したようなレート情報作成処理を実行し、供給された情報に基づいて、キャプチャレート、レックレート、およびフォーマットレートを求め、それらのレート情報を、通信部６１４を介して記録装置５２２に供給する。
【０２５９】
図２４は、図２２の再生出力システム５１２に含まれる、レート情報判定装置５７４の詳細な構成例を示すブロック図である。
【０２６０】
図２４において、レート情報判定装置５７４のCPU（Central Processing Unit）６３１は、ROM６３２に記憶されているプログラムに従って各種の処理を実行する。RAM６３３には、CPU６３１が各種の処理を実行する上において必要なデータやプログラムなどが適宜記憶される。
【０２６１】
CPU６３１、ROM６３２、およびRAM６３３は、バス６３４を介して相互に接続されている。このバス６３４には、また、レート情報判定部５８８も接続されている。レート情報判定部５８８は、図１および図３を参照して説明した再生出力装置１２のレート情報判定部５５と同様の構成であり、同様の処理を実行し、再生装置５７１において光ディスク１３より読み出されたレート情報より、方式モードや速度モード等の各種のモードを判定するとともに、画像音声処理装置５７２において画像データにデータ変換を行うか否か等も判定する。
【０２６２】
このバス６３４にはまた、入出力インタフェース６４０も接続されている。
【０２６３】
入出力インタフェース６４０は、キーボードやマウスから構成される入力部６４１が接続され、入力部６４１に入力された信号をCPU６３１に出力する。また、入出力インタフェース６４０には、ディスプレイやスピーカなどから構成される出力部６４２も接続されている。
【０２６４】
さらに、入出力インタフェース６４０には、ハードディスクなどから構成される記憶部６４３、および、再生装置５７１や画像音声処理装置５７２と、レート情報や再生出力制御設定等の、各種のデータの通信を行う通信部６４４も接続されている。ドライブ６４５は、磁気ディスク、光ディスク、光磁気ディスク、または半導体メモリなどの記録媒体からなるリムーバブルメディア６４６よりデータを読み出したり、データを書き込んだりするときに用いられる。
【０２６５】
再生装置５７１が光ディスク１３に記録されているレート情報５１３を読み出し、レート情報判定装置５７４の通信部６４４に供給すると、CPU６３１は、各部を制御し、供給されたレート情報をレート情報判定部５８８に供給させる。レート情報判定部５８８は、供給されたレート情報に基づいて、再生処理や出力処理のモードや、再生された画像データに対してデータ変換を行うか否か等を判定する。そして、レート情報判定部５８８は、それらの判定結果を、通信部６４４を介して再生装置５７１や画像音声処理装置５７２に供給する。再生装置５７１や画像音声処理装置５７２は、それらの情報に基づいて再生処理や信号処理を行う。
【０２６６】
次に、図２２の記録再生システム５０１の撮像記録システム５１１における撮像記録処理の流れを、図２５のフローチャートを参照して説明する。基本的には、図１の記録再生システム１の場合と同様の処理が行われる。なお、図２５においては、各装置の主な処理部が実行する処理についてのみ説明する。例えば、実際には、各装置間においてデータの授受は各装置の通信部により行われるが、これらは基本的にデータの授受に関する処理を実行するだけであり、本発明の要点との関連性が低いので、ここでは、そのような処理については説明を省略する。
【０２６７】
撮像装置５２１を操作するユーザがモード設定指示を入力すると、撮像装置５２１の主制御部５３１は、ステップＳ１７１においてその指示を受け付け、ステップＳ１７２において、その入力されたモード設定指示や、予めROMに記録されている装置情報をレート情報作成装置５２３のレート情報作成部５３５に供給する。レート情報作成部５３５は、ステップＳ１９１においてそれらの情報を取得すると、ステップＳ１９２において、例えば、図１３のフローチャートを参照して説明したようなレート情報作成処理を実行し、供給された情報に基づいて、キャプチャレート、レックレート、およびフォーマットレートを作成する。そして、レート情報作成部５３５は、作成したそれらのレート情報を、ステップＳ１９３において、記録装置５２２の主制御部５３３に供給する。記録装置５２２の主制御部５３３は、ステップＳ２０１において、そのレート情報を取得する。
【０２６８】
また、撮像装置５２１を操作するユーザが撮像記録制御指示を入力すると、撮像装置５２１の主制御部５３１は、ステップＳ１７３においてその指示を受け付け、ステップＳ１７４において、その入力された撮像記録制御指示を撮像部５３２に供給する。撮像部５３２は、ステップＳ１８１において撮像記録制御指示を取得すると、ステップＳ１８２において撮像処理を開始する。さらに撮像部５３２は、ステップＳ１８３において、記録制御指示を記録装置５２２の主制御部５３３に供給する。記録制御装置５２２の主制御部５２２は、ステップＳ２０２においてその制御指示を取得すると、ステップＳ２０３において、その記録制御指示とレート情報を記録部５３４に供給する。記録部５３４は、ステップＳ２１１においてそれらの情報を取得すると、ステップＳ２１２において、その記録制御に従い、記録処理を開始し、矢印６５１のように撮像部５３２より供給される画像データ・音声データを光ディスク１３に記録するとともに、それらのデータに対応するレート情報に関する情報も光ディスク１３に記録する。
【０２６９】
撮像記録システム５１１においては、以上のようにして画像データや音楽データの他に、それらのデータに対応するレート情報が光ディスク１３に記録される。
【０２７０】
以上のようにして、撮像記録システム５１１は、光ディスク１３に画像データや音声データを記録するとともに、それらのデータの、キャプチャレート、レックレート、およびフォーマットレートも記録する。これにより、撮像記録システム５１１は、再生出力システム５１２に対して、各種のレート情報を提供することができる。すなわち、再生出力システム５１２に、より効果的な再生処理、信号処理、および出力処理を実行させることができる。
【０２７１】
次に、図２６のフローチャートを参照して、記録再生システム５０１の再生出力システム５１２における再生出力処理の流れを説明する。基本的には、図１の記録再生システム１の場合と同様の処理が行われる。なお、図２６においても、図２５の場合と同様に、各装置の主な処理部が実行する処理についてのみ説明する。
【０２７２】
再生装置５７１を操作するユーザが再生出力制御指示を入力すると、再生装置５７１の主制御部５８１は、ステップＳ２３１においてその指示を受け付け、ステップＳ２３２において、その指示に基づいて、レート情報の読み出しを再生部５８２に要求する。再生部５８２は、ステップＳ２４１においてその要求を取得すると、光ディスク１３よりレート情報を読み出し、ステップＳ２４２において、その読み出したレート情報をレート情報判定装置５７４のレート情報判定部５８８に供給する。レート情報判定部５８８は、ステップＳ２５１においてそのレート情報を取得すると、取得したレート情報に基づいて、ステップＳ２５２においてレート情報判定処理を行う。そして、レート情報判定部５８８は、その判定結果に基づいて設定された再生出力制御設定を、ステップＳ２５３において、再生装置５７１の主制御部５８１に供給するとともに、ステップＳ２５４において出力装置５７３の主制御部５８６に供給する。再生装置５７１の主制御部５８１はステップＳ２３３において、出力装置５７３の主制御部５８６はステップＳ２７１において、それぞれその供給された再生出力制御設定を取得する。さらに、レート情報判定部５８８は、ステップＳ２５５において、レート情報、再生出力制御設定、およびレート情報表示設定等の情報を画像音声処理装置５７２の信号処理部５８３に供給する。信号処理部５８３は、ステップＳ２６１において、それらの情報を取得する。
【０２７３】
また、再生装置５７１の主制御部５８１は、ステップＳ２３４において、再生部５８２、画像音声処理装置５７２の信号処理部５８３、並びに、出力装置５７３の主制御部５８６に対して、再生出力制御を供給し、各処理の開始を指示する。再生部５８２は、ステップＳ２４３において、その指示を取得すると、ステップＳ２４４において再生処理を開始し、光ディスク１３に記録されている画像データや音声データを、矢印６５２のように、画像音声処理装置５７２の信号処理部５８３に供給する。
【０２７４】
画像音声処理装置５７２の信号処理部５８３は、ステップＳ２６２において、再生装置５７１からの再生出力制御を取得すると、その制御に基づいて、ステップＳ２６３において信号処理を開始する。また、信号処理部５８３は、ステップＳ２６４において、ステップＳ２６１の処理により取得したレート情報や再生出力制御設定に基づいて、必要に応じてデータ変換処理を実行する。さらに、信号処理部５８３は、ステップＳ２６５に処理を進め、ステップＳ２６１の処理により取得されたレート情報表示設定に基づいて、出力情報作成処理を実行し、必要に応じてレート情報の表示用画像を作成し、画像データの出力用画像に合成する。以上のような処理を行うと信号処理部５８３は、矢印６５３に示されるように、出力用の画像データおよび音声データを出力装置５７３の出力部５８７に供給する。
【０２７５】
出力装置５７３の主制御部５８６は、ステップＳ２７２において、再生装置５７１の主制御部５８１より供給された再生出力制御を取得すると、ステップＳ２７３において、その出力制御を出力部５８７に供給する。出力部５８７はステップＳ２８１においてその出力制御を取得すると、その制御に基づいて出力制御処理を開始し、矢印６５３のように供給された出力用の画像データや音声データを出力する。
【０２７６】
以上のようにして、再生出力システム５１２は、光ディスク１３に画像データや音声データとともに記録されている、キャプチャレート、レックレート、およびフォーマットレートの情報に基づいて再生処理、信号処理、および出力処理を制御することができる。これにより、再生出力システム５１２は、レート情報を表示したり、再生された画像データがPSF方式のデータである場合、プログレッシブ方式に変換して出力したりすることができる。すなわち、再生出力システム５１２は、より効果的な再生処理、信号処理、および出力処理を実行することができる。
【０２７７】
以上のように、図１の撮像記録装置１１や再生出力装置１２の各部を別体として構成するようにすることができるが、その構成例は、図２２に示される例だけでなく、それ以外の構成であってもよい。
【０２７８】
例えば、撮像記録システム５１１は、図２７Ａに示されるように、ユーザ入力を受け付けるレート情報作成装置６６１、被写体を撮像する撮像装置６６２、および撮像装置６６２において得られた画像データや音声データを光ディスク１３に記録する記録装置６６３により構成されるようにしてもよい。この場合、レート情報作成装置６６１は、撮像記録モードに関するユーザ入力に基づいて、レート情報を作成し、そのレート情報を撮像装置６６２および記録装置６６３に供給する。撮像装置６６２および記録装置６６３は、それぞれ、供給されたレート情報に基づいて、撮像処理や記録処理を行う。
【０２７９】
また、例えば、図２７Ｂに示されるように、撮像装置がレート情報作成部を内蔵するようにしてもよい。図２７Ｂにおいて、撮像装置６７１は、レート情報作成部５３５を有している。すなわち、この場合、撮像装置６７１内においてレート情報が作成され、記録装置６７２に供給される。
【０２８０】
さらに、例えば、図２７Ｃに示されるように、記録装置がレート情報作成部を内蔵するようにしてもよい。図２７Ｃにおいて、記録装置６８２は、レート情報作成部５３５を有している。すなわち、この場合、記録装置５８２内においてレート情報が作成され、撮像装置６８１に供給される。
【０２８１】
同様に、再生出力システム５１２も、図２２に示される構成例だけでなく、それ以外の構成であってもよい。
【０２８２】
例えば、図２８Ａに示されるように、再生出力システム５１２が、再生装置７０１、画像音声処理装置７０２、並びに出力装置７０３を、レート情報判定装置７０４の判定結果に基づいて制御する再生出力制御装置７０５を備えるようにしてもよい。この場合、レート情報判定装置７０４は、再生装置７０１において読み出されたレート情報に基づいて、各種の設定や動作モードについて判定を行い、その判定結果を再生出力制御装置７０５に供給する。再生出力制御装置７０５は、その判定結果に基づいて、再生装置７０１、画像音声処理装置７０２、および出力装置７０３のそれぞれに対して制御情報を供給する。再生装置７０１、音声処理装置７０２、および出力装置７０３は、それぞれ、その制御情報に基づいて各処理を実行する。
【０２８３】
また、例えば、図２８Ｂに示されるように、再生装置がレート情報判定部を内蔵するようにしてもよい。図２８Ｂにおいて、再生装置７１１は、レート情報判定部５８８を有している。すんあわち、この場合、再生装置７１１内においてレート情報に基づいた判定が行われ、その判定結果に基づいて生成された制御情報が画像音声処理装置７１２や出力装置７１３に供給される。
【０２８４】
さらに、例えば、図２８Ｃに示されるように、画像音声処理装置がレート情報作成部を内蔵するようにしてもよい。図２８Ｃにおいて、画像音声処理装置７２２は、レート情報判定部５８８を有している。すなわち、この場合、画像音声処理装置７２２内においてレート情報が作成され、再生装置７２１や出力装置７２３に供給される。
【０２８５】
以上のように、本発明を適用したシステムや装置は、データを再生するユーザまたは装置に対して、撮像時や記録時の設定に関する情報を提供することができるようにし、より効果的に再生処理や出力処理を実行させることができる。
【０２８６】
以上においては、レート情報として、画像データのレート情報について説明したが、これ以外にも、例えば、音声データ等、他のデータであってももちろんよい。
【０２８７】
また、以上においては、撮像装置が被写体を撮像することにより、コンテンツデータである画像データを生成する場合について説明したが、本発明は、コンテンツデータを第１の装置から第２の装置へ記録媒体または伝送媒体を介して供給するシステムであれば、どのようなシステムであっても適用することができる。すなわち、第１の装置は、コンテンツデータを生成するようにしてもよいし、外部より入力されるようにしてもよい。つまり、キャプチャレートは、第１の装置におけるコンテンツデータの、生成時または入力時のデータレートを示す。また、第１の装置は、コンテンツデータを記録媒体に記録するようにしてもよいし、有線または無線のネットワークを介して第２の装置に送信するようにしてもよい。つまり、レックレートは、第１の装置にけるコンテンツデータの、記録時または送信時のデータレートを示す。さらに、第２の装置は、第１の装置が記録した記録媒体から、コンテンツデータを読み出して再生するようにしてもよいし、第１の装置から送信されたコンテンツデータを受信して再生するようにしてもよい。すなわち、フォーマットレートは、第２の装置におけるコンテンツデータの、再生時（通常再生時）のデータレートを示す。
【０２８８】
上述した一連の処理は、ハードウエアにより実行させることもできるし、ソフトウエアにより実行させることもできる。上述した一連の処理をソフトウエアにより実行させる場合には、そのソフトウエアを構成するプログラムが、ネットワークや記録媒体からインストールされる。
【０２８９】
この記録媒体は、例えば、図２３に示されるように、装置本体とは別に、ユーザにプログラムを配信するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア６１６により構成されるだけでなく、装置本体に予め組み込まれた状態でユーザに配信される、プログラムが記録されているROM６０２や、記憶部６１３に含まれるハードディスクなどで構成される。
【０２９０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２９１】
また、本明細書において、システムとは、複数の装置により構成される装置全体を表すものである。
【図面の簡単な説明】
【０２９２】
【図１】本発明を適用した記録再生システムの構成例を示すブロック図である。
【図２】図１の撮像記録装置の構成例を示すブロック図である。
【図３】図１の再生出力装置の構成例を示すブロック図である。
【図４】撮像記録モードの構成例を示す模式図である。
【図５】レート情報の値と画像データの関係の例を示す図である。
【図６】レート情報の値と画像データの関係の、他の例を示す図である。
【図７】レート情報の値と画像データの関係の、さらに他の例を示す図である。
【図８】レート情報の値と画像データの関係の、さらに他の例を示す図である。
【図９】撮像記録制御処理を説明するフローチャートである。
【図１０】撮像記録制御処理を説明する、図９に続くフローチャートである。
【図１１】レート情報の変化点テーブルの例を示す図である。
【図１２】レート情報の記録位置の例を示す図である。
【図１３】レート情報作成処理を説明するフローチャートである。
【図１４】再生出力制御処理を説明するフローチャートである。
【図１５】再生出力制御処理を説明する、図１４に続くフローチャートである。
【図１６】判定処理を説明するフローチャートである。
【図１７】レート情報の値と撮像記録モードの関係の例を示す図である。
【図１８】レート情報表示制御処理の例を示すフローチャートである。
【図１９】データ変換処理の例を示すフローチャートである。
【図２０】本発明を適用した通信システムの構成例を示すブロック図である。
【図２１】本発明を適用した映像プログラム制作支援システムの構成例を示すブロック図である。
【図２２】本発明を適用した記録再生システムの、他の構成例を示すブロック図である。
【図２３】図２２のレート情報作成装置の構成例を示すブロック図である。
【図２４】図２２のレート情報判定装置の構成例を示すブロック図である。
【図２５】図２２の撮像記録システムにおいて実行される処理の流れを説明するフローチャートである。
【図２６】図２２の再生出力システムにおいて実行される処理の流れを説明するフローチャートである。
【図２７】図２２の撮像記録システムの、他の構成例を説明するブロック図である。
【図２８】図２２の再生出力システムの、他の構成例を説明するブロック図である。
【符号の説明】
【０２９３】
１  記録再生システム，  １１  撮像記録装置  １２  再生出力装置，  １３  光ディスク，  ２１  制御部，  ２２  撮像部，  ２３  記録部，  ２４  レート情報作成部，  ３３  メタデータ，  ４１  キャプチャレート，  ４２  レックレート，  ４３  フォーマットレート，  ５１  制御部，  ５２  再生部，  ５３  画像音声処理部，  ５４  出力部，  ５５  レート情報判定部，  １０２Ａ  装置情報，  １５２  データ変換部，  １５３  出力情報作成部，  １７１  撮像記録モード，  １７２  入力撮像記録モード，  １７５  方式モード，  １７６  速度モード，  １９１  テーブル，  ２３１  UMID，  ３０１  通信システム，  ３１１  撮像装置，  ３１２  出力装置，  ３１３  ネットワーク，  ３２３  通信部，  ３２３Ａ  バッファ，  ３５２  通信部，  ３５２Ａ  バッファ，  ４０１  映像プログラム制作支援システム，  ５０１  記録再生システム，  ５１１  撮像記録システム，  ５１２  再生出力システム，  ５１３  レート情報，  ５２１  撮像装置，  ５２２  記録装置，  ５２３  レート情報作成装置，  ５３１  主制御部，  ５３２  撮像部，  ５３３  主制御部，  ５３４  記録部，  ５３５  レート情報作成部，  ５７１  再生装置，  ５７２  画像音声処理装置，  ５７３  出力装置，  ５７４  レート情報判定装置，  ５８１  主制御部，  ５８２  再生部，  ５８４  データ変換部，  ５８５  出力情報作成部，  ５８６  主制御部，  ５８７  出力部
【図１】
2005176212.tif 000003
【図２】
2005176212.tif 000004
【図３】
2005176212.tif 000005
【図４】
2005176212.tif 000006
【図５】
2005176212.tif 000007
【図６】
2005176212.tif 000008
【図７】
2005176212.tif 000009
【図８】
2005176212.tif 000010
【図９】
2005176212.tif 000011
【図１０】
2005176212.tif 000012
【図１１】
2005176212.tif 000013
【図１２】
2005176212.tif 000014
【図１３】
2005176212.tif 000015
【図１４】
2005176212.tif 000016
【図１５】
2005176212.tif 000017
【図１６】
2005176212.tif 000018
【図１７】
2005176212.tif 000019
【図１８】
2005176212.tif 000020
【図１９】
2005176212.tif 000021
【図２０】
2005176212.tif 000022
【図２１】
2005176212.tif 000023
【図２２】
2005176212.tif 000024
【図２３】
2005176212.tif 000025
【図２４】
2005176212.tif 000026
【図２５】
2005176212.tif 000027
【図２６】
2005176212.tif 000028
【図２７】
2005176212.tif 000029
【図２８】
2005176212.tif 000030
【手続補正書】
【提出日】平成16年12月28日(2004.12.28)
【手続補正１】
【補正対象書類名】特許請求の範囲
【補正対象項目名】請求項７
【補正方法】変更
【補正の内容】
【請求項７】
前記レート情報記録手段は、前記キャプチャレート、前記レックレート、および前記フォーマットレートの変化点を前記記録媒体に記録する
ことを特徴とする請求項６に記載の情報処理装置。
【手続補正２】
【補正対象書類名】特許請求の範囲
【補正対象項目名】請求項８
【補正方法】変更
【補正の内容】
【請求項８】
前記レート情報記録手段は、前記キャプチャレート、前記レックレート、および前記フォーマットレートに関連付けて、前記コンテンツデータのUMIDに関する情報を、前記記録媒体にさらに記録する
ことを特徴とする請求項６に記載の情報処理装置。
【手続補正３】
【補正対象書類名】明細書
【補正対象項目名】００６５
【補正方法】変更
【補正の内容】
【００６５】
撮像記録装置１１は、取材などにおいて、被写体を撮像し、得られた動画像や静止画像の画像データや音声データ等をコンテンツデータとして記録媒体に記録するビデオカメラであり、各部を制御する制御部２１、被写体を撮像する撮像部２２、撮像部において得られたコンテンツデータ（画像データや音声データ）を光ディスク１３に記録する記録部２３、並びに、コンテンツデータのレート情報を作成するレート情報作成部２４を含む。撮像記録装置１１のユーザは、制御部２１に、撮像開始指示や撮像終了指示等の制御指示を制御部２１に入力する。また、ユーザは、高速度撮像や低速度撮像等の、撮像処理および記録処理に関するモードの設定指示である入力撮像記録モード指示も入力する。制御部２１は、ユーザが入力した入力撮像記録モード指示等に基づいて、撮像処理や記録処理のモードを決定し、撮像部２２および記録部２３を制御する。また、制御部２１は、入力撮像記録モードに関する情報をレート情報作成部２４に供給する。撮像部２２は、制御部２１の制御に基づいて、被写体を撮像するとともに、音声情報を取得し、画像データや音声データ等よりなるコンテンツデータを取得し、それを記録部２３に供給する。レート情報作成部２４は、制御部２１より供給された情報に基づいて、撮像処理や記録処理等におけるコンテンツデータのレートに関する情報であるレート情報を作成し、それを記録部２３に供給する。記録部２３は、制御部２１に制御されて、撮像部２２より供給されたコンテンツデータや、レート情報作成部２４より供給されたレート情報等を光ディスク１３に記録する。
【手続補正４】
【補正対象書類名】明細書
【補正対象項目名】００６７
【補正方法】変更
【補正の内容】
【００６７】
再生出力装置１２は、例えば編集処理等において、光ディスク１３に記録されている画像データや音声データを再生し、出力する装置であり、各部を制御する制御部５１、光ディスク１３に記録されている情報を読み出し、再生する再生部５２、再生部５２より再生されたコンテンツデータ（画像データおよび音声データ）に対して、所定の処理を施す画像音声処理部５３、画像音声処理部５３において処理されたコンテンツデータをモニタやスピーカ等から出力する出力部５４、並びに、再生部５２より供給されるレート情報に基づいて、再生処理や出力処理のモードを判定し、その情報を制御部５１に供給するレート情報判定部５５により構成される。再生部５２は、制御部５１に制御されて、光ディスク１３に記録されているレート情報（キャプチャレート、レックレート、およびフォーマットレートを含む）を読み出し、それらをレート情報判定部５５に供給する。レート情報判定部５５は、それらのレート情報に基づいて、再生部５２、画像音声処理部５３、並びに出力部５４における処理のモードを判定し、その情報を制御部５１に供給する。制御部５１は、その情報に基づいて、再生部５２乃至出力部５４を制御する。再生部５２は、制御部５１に制御され、光ディスク１３に記録されているコンテンツデータを読み出して再生し、それを画像音声処理部５３に供給する。画像音声処理部５３は、それらのコンテンツデータに対して所定の信号処理を施し、出力部５４に供給する。出力部５４は、画像音声処理部５３より供給されたコンテンツデータをモニタやスピーカ等から出力させる。
【手続補正５】
【補正対象書類名】明細書
【補正対象項目名】００７２
【補正方法】変更
【補正の内容】
【００７２】
記録部２３の記録処理部１２１は、信号処理部１１４より供給された画像データや音声データや、レート情報作成部２４より供給されたレート情報等に対して記録の際に必要な符号化処理等を施し、それを記録用データとして、ピックアップ部１２２に供給する。ピックアップ部１２２は、図示せぬドライブに装着された光ディスク１３に対してデータ書き込み用のレーザ光を照射し、供給された記録用データを光ディスク１３に記録する。また、駆動制御部１２４は、制御部２１の主制御部１０１に制御され、図示せぬドライブのスピンドルモータの回転やピックアップ部１２２の駆動等を制御し、光ディスク１３へのデータ記録時の動作制御を行う。
【手続補正６】
【補正対象書類名】明細書
【補正対象項目名】０１０４
【補正方法】変更
【補正の内容】
【０１０４】
なお、撮像記録装置１１のユーザが高速度モード１８６や低速度モード１８７を指定した場合に得られる画像データのフレームレート（フィールドレート）は、予め定められた値であってもよいし、ユーザが入力撮像記録モード指示として指定するものであってもよい。また、ユーザが指定する場合、直接フレームレート（フィールドレート）を指定するようにしてもよいし、通常速度モード１８５時のレートの倍率で指定するようにしてもよい。すなわち、撮像記録装置１１のユーザが、入力撮像記録モード指示として、速度モード１７６を、「高速度モード」、「低速度モード」のようにモード名で指定するようにしてもよいし、「１００i」、「２５i」のようにレートで指定するようにしてもよいし、「２倍」、「１／２倍」のように、通常速度モード１８５に対する倍率で指定するようにしてもよい。
【手続補正７】
【補正対象書類名】明細書
【補正対象項目名】０１０６
【補正方法】変更
【補正の内容】
【０１０６】
図５乃至図８は、各モードにおけるキャプチャレート、レックレート、およびフォーマットレートの例を説明する図である。
【手続補正８】
【補正対象書類名】明細書
【補正対象項目名】０１２８
【補正方法】変更
【補正の内容】
【０１２８】
図８は、フォーマットレートが６０ｉであり、２−３プルダウン方式で画像データを記録する場合の例を示している。図８Ａは通常速度モード（１倍速）の場合の例であり、図８Ｂは高速度モード（２倍速）の場合の例であり、図８Ｃは低速度モード（１／２倍速）の場合の例である。すなわち、図８Ａは、フォーマットレートが６０iに設定されており、ユーザが方式モード１７５としてプルダウン方式モード１８４（２−３プルダウン方式）を選択し、速度モード１７６として、通常速度モード１８５を選択した場合の、キャプチャレート、レックレート、およびフォーマットレートの各値と、生成、記録、再生時のフィールド画像の関係の例を示しており、図８Ｂは、フォーマットレートが６０iに設定されており、ユーザが方式モード１７５としてプルダウン方式モード１８４（２−３プルダウン方式）を選択し、速度モード１７６として、高速度モード１８６を選択した場合の、キャプチャレート、レックレート、およびフォーマットレートの各値と、生成、記録、再生時のフィールド画像の関係の例を示しており、図８Ｃは、フォーマットレートが６０iに設定されており、ユーザが方式モード１７５としてプルダウン方式モード１８４（２−３プルダウン方式）を選択し、速度モード１７６として、低速度モード１８７を選択した場合の、キャプチャレート、レックレート、およびフォーマットレートの各値と、生成、記録、再生時のフィールド画像の関係の例を示している。
【手続補正９】
【補正対象書類名】明細書
【補正対象項目名】０１５５
【補正方法】変更
【補正の内容】
【０１５５】
図１２Ｃの例の場合、キャプチャレート、レックレート、およびフォーマットレートは、音声データおよび画像データが記録されている領域と異なる領域に記録される。すなわち、この場合、光ディスク１３においては、音声データおよび画像データは、音声データ２２１乃至画像データ２２６のように、所定の記憶領域である第１の領域に記録され、それらに対応するレート情報であるキャプチャレート４１、レックレート４２、およびフォーマットレート４３を含むメタデータ２４１は、第１の領域と異なる記憶領域である第２の領域に記録される。このとき、音声データおよび画像データには、所定の単位毎にUMID（Unique Material IDentifier）２３１が割り当てられており、メタデータ２４１には、そのUMIDを指定するUMID情報２４２が含まれている。すなわち、この場合、各レート情報は、UMIDを用いて関連付けられており、メタデータ２４１は、UMID情報２４２に記述されたUMID２３１により、音声データや画像データに関連付けられている。
【手続補正１０】
【補正対象書類名】明細書
【補正対象項目名】０１５８
【補正方法】変更
【補正の内容】
【０１５８】
主制御部１０１に装置情報１０２Ａおよび入力撮像記録モードを供給され、レート情報の作成を指示されたレート情報作成部２４は、ステップＳ３１において、供給された装置情報に基づいてフォーマットレートを求め、ステップＳ３２において、装置情報および入力撮像記録モードに基づいてレックレートを求め、ステップＳ３３において、装置情報および入力撮像記録モードに基づいてキャプチャレートを求める。
【手続補正１１】
【補正対象書類名】明細書
【補正対象項目名】０１５９
【補正方法】変更
【補正の内容】
【０１５９】
そして、レート情報作成部２４は、ステップＳ３４において、ステップＳ３１乃至ステップＳ３３の処理により求めたキャプチャレート、レックレート、およびフォーマットレートをレート情報として記録部２３に供給し、レート情報作成処理を終了する。
【手続補正１２】
【補正対象書類名】明細書
【補正対象項目名】０１６０
【補正方法】変更
【補正の内容】
【０１６０】
例えば、図５Ａの例の場合、装置情報１０２Ａにおいて、フォーマットレートが「５０ｉ」に設定されているので、レート情報作成部２４は、フォーマットレートを「５０ｉ」とする。また、図５Ａの例の場合、入力撮像記録モードとして、インターレースモードの通常速度モードが指定されているので、レート情報作成部２４は、キャプチャレート及びレックレートをフォーマットレートと同じ「５０ｉ」とする。このようにすることにより、レート情報作成部２４は、装置情報および入力撮像記録モードに基づいてレート情報を求め、光ディスク１３に記録させることができる。すなわち、撮像記録装置１１は、ユーザの入力等に基づいて作成したレート情報を再生出力装置１２に提供することができる。
【手続補正１３】
【補正対象書類名】明細書
【補正対象項目名】０２１５
【補正方法】変更
【補正の内容】
【０２１５】
従って、この通信システム３０１においても、撮像装置３１１は、画像データや音声データの他に、それらのデータに関するキャプチャレート、レックレート、およびフォーマットレートの情報を出力装置３１２に供給する。これにより、通信システム３０１において、撮像装置３１１は、出力装置３１２に、より効果的な、再生処理、画像音声処理、出力処理等を実行させることができ、出力装置３１２は、撮像装置３１１より伝送されるレート情報に基づいて、より効果的な、再生処理、画像音声処理、出力処理等を実行することができる。
【手続補正１４】
【補正対象書類名】明細書
【補正対象項目名】０２１９
【補正方法】変更
【補正の内容】
【０２１９】
企画用端末装置４１１は、例えば、パーソナルコンピュータ等の情報処理装置およびその周辺装置等により構成され、映像プログラムの企画が行われる企画構成部署等に設けられる。この企画構成部署は、映像プログラムの制作全体を統括する部署であり、制作する映像プログラムの企画および構想を行って、映像プログラムのシナリオ（筋書き）を作成するとともに、後述する取材部署および編集部署等の他部署に制作作業内容を指示する部署である。企画用端末装置４１１は、例えば、映像プログラムのシナリオに対応する政策指示情報等を含む、電子ファイル形式の構成表メタデータを映像プログラム毎に作成する等の処理を行う。企画用端末装置４１１は、生成した構成表メタデータを、ネットワーク４１２を介して取材用端末装置４１３等に供給する。これにより、企画構成部署は、取材部署等に対して、取材または撮影すべき場面や内容の指示を行う。
【手続補正１５】
【補正対象書類名】明細書
【補正対象項目名】０２２５
【補正方法】変更
【補正の内容】
【０２２５】
この場合、撮像装置４１４は、図２０に示される撮像装置３１１のように、キャプチャレート、レックレート、およびフォーマットレート等のレート情報を、ネットワーク４１２を介して、映像コンテンツ等の送信先である企画用端末装置４１１、フィールドPC４１５、または編集端末装置４１６等に伝送するようにしてもよい。
【手続補正１６】
【補正対象書類名】明細書
【補正対象項目名】０２３０
【補正方法】変更
【補正の内容】
【０２３０】
このフィールドPC４１５は、例えば、ネットワーク４１２を介して、企画用端末装置４１１から構成表メタデータを取得したり、撮像装置４１４から構成表メタデータを取得したりする。フィールドPC４１５は、取得した構成表メタデータを所定の表示部に表示し、取材部署担当者に取材、撮影すべき内容を認識させる。
【手続補正１７】
【補正対象書類名】明細書
【補正対象項目名】０２３１
【補正方法】変更
【補正の内容】
【０２３１】
さらに、フィールドPC４１５は、ユーザである取材部署担当者の入力に基づいて、取材・撮影状況に関する情報である撮影状況情報を生成し、生成した撮影状況情報を構成表メタデータ内の該当欄に追加する。この撮影状況情報は、例えば、テイクごとや取材場所ごとに多様な観点で記載されたテキストデータ等であり、後段の編集処理時に有用となる情報である。このように、フィールドPC４１５は、撮影状況情報を書き込むことにより、構成表メタデータを編集する。また、フィールドPC４１５は、撮影状況情報をメタデータとして撮像装置４１４に供給し、撮像装置４１４において得られた画像データや音声データに付加させる。
【手続補正１８】
【補正対象書類名】明細書
【補正対象項目名】０２４７
【補正方法】変更
【補正の内容】
【０２４７】
撮像装置５２１は、撮像装置５２１の各部を制御する主制御部５３１と、被写体を撮像する撮像部５３２を有し、図２に示される撮像記録装置１１の撮像部２２に対応し、装置として独立するために主制御部５３１等を有すること以外は、基本的に、撮像部２２と同様の構成であり、撮像部２２と同様の処理を行う。記録装置５２２は、記録装置５２２の各部を制御する主制御部５３３と、撮像部において得られた画像データや音声データ等を光ディスク１３に記録する記録部５３４を有し、図２に示される撮像記録装置１１の記録部２３に対応し、装置として独立するために主制御部５３３等を有すること以外は、基本的に、記録部２３と同様の構成であり、記録部２３と同様の処理を行う。レート情報作成装置５２３は、レート情報を作成する処理を行うレート情報作成部５３５を有し、図２に示される撮像記録装置１１のレート情報作成部２４に対応する装置である。
【手続補正１９】
【補正対象書類名】明細書
【補正対象項目名】０２５０
【補正方法】変更
【補正の内容】
【０２５０】
再生装置５７１は、再生装置５７１の各部を制御する主制御部５８１と、再生処理を行う再生部５８２を有し、図３に示される再生出力装置１２の再生部５２に対応し、装置として独立するために主制御部５８１等を有すること以外は、基本的に、再生部５２と同様の構成であり、再生部５２と同様の処理を行う。画像音声処理装置５７２は、画像音声処理を行う信号処理部５８３を有し、図３に示される再生出力装置１２の画像音声処理部５３に対応し、基本的に、画像音声処理部５３と同様の構成であり、画像音声処理部５３と同様の処理を行う。また信号処理部５８３は、図３の信号処理部１５１と同様に、データ変換部５８４および出力情報作成部５８５を有している。出力装置５７３は、出力装置５７３の各部を制御する主制御部５８６と、出力処理を行う出力部５８７を有し、図３に示される再生出力装置１２の出力部５４に対応し、基本的に、出力部５４と同様の構成であり、出力部５４と同様の処理を行う。レート情報判定装置５７４は、再生装置５７１において読み出されたレート情報に基づいて各種のモード等を判定するレート情報判定部５８８を有し、判定結果やレート情報等を画像音声処理装置５７２に供給する。
【手続補正２０】
【補正対象書類名】明細書
【補正対象項目名】０２６８
【補正方法】変更
【補正の内容】
【０２６８】
また、撮像装置５２１を操作するユーザが撮像記録制御指示を入力すると、撮像装置５２１の主制御部５３１は、ステップＳ１７３においてその指示を受け付け、ステップＳ１７４において、その入力された撮像記録制御指示を撮像部５３２に供給する。撮像部５３２は、ステップＳ１８１において撮像記録制御指示を取得すると、ステップＳ１８２において撮像処理を開始する。さらに撮像部５３２は、ステップＳ１８３において、記録制御指示を記録装置５２２の主制御部５３３に供給する。記録装置５２２の主制御部５３３は、ステップＳ２０２においてその制御指示を取得すると、ステップＳ２０３において、その記録制御指示とレート情報を記録部５３４に供給する。記録部５３４は、ステップＳ２１１においてそれらの情報を取得すると、ステップＳ２１２において、その記録制御に従い、記録処理を開始し、矢印６５１のように撮像部５３２より供給される画像データ・音声データを光ディスク１３に記録するとともに、それらのデータに対応するレート情報に関する情報も光ディスク１３に記録する。
【手続補正２１】
【補正対象書類名】明細書
【補正対象項目名】０２６９
【補正方法】変更
【補正の内容】
【０２６９】
撮像記録システム５１１においては、以上のようにして画像データや音声データの他に、それらのデータに対応するレート情報が光ディスク１３に記録される。
【手続補正２２】
【補正対象書類名】明細書
【補正対象項目名】０２８０
【補正方法】変更
【補正の内容】
【０２８０】
さらに、例えば、図２７Ｃに示されるように、記録装置がレート情報作成部を内蔵するようにしてもよい。図２７Ｃにおいて、記録装置６８２は、レート情報作成部５３５を有している。すなわち、この場合、記録装置６８２内においてレート情報が作成され、撮像装置６８１に供給される。
【手続補正２３】
【補正対象書類名】明細書
【補正対象項目名】０２８３
【補正方法】変更
【補正の内容】
【０２８３】
また、例えば、図２８Ｂに示されるように、再生装置がレート情報判定部を内蔵するようにしてもよい。図２８Ｂにおいて、再生装置７１１は、レート情報判定部５８８を有している。すなわち、この場合、再生装置７１１内においてレート情報に基づいた判定が行われ、その判定結果に基づいて生成された制御情報が画像音声処理装置７１２や出力装置７１３に供給される。
【手続補正２４】
【補正対象書類名】明細書
【補正対象項目名】０２８４
【補正方法】変更
【補正の内容】
【０２８４】
さらに、例えば、図２８Ｃに示されるように、画像音声処理装置がレート情報判定部を内蔵するようにしてもよい。図２８Ｃにおいて、画像音声処理装置７２２は、レート情報判定部５８８を有している。すなわち、この場合、画像音声処理装置７２２内においてレート情報に基づいた判定が行われ、その判定結果に基づいて生成された制御情報が、再生装置７２１や出力装置７２３に供給される。
【手続補正２６】
【補正対象書類名】図面
【補正対象項目名】図７
【補正方法】変更
【補正の内容】
【図７】
2005176212.tif 000031
【手続補正２７】
【補正対象書類名】図面
【補正対象項目名】図１７
【補正方法】変更
【補正の内容】
【図１７】
2005176212.tif 000032
【手続補正２８】
【補正対象書類名】図面
【補正対象項目名】図２７
【補正方法】変更
【補正の内容】
【図２７】
2005176212.tif 000033